(57)【特許請求の範囲】
【請求項１】
協調マルチポイント（ＣｏＭＰ）ユーザ端末機（ＵＥ）と二つ又はそれ以上のＣｏＭＰ ｅノードＢ（ｅＮＢ）との間のｅＮＢ間のＣｏＭＰジョイント送信（ＪＴ）を実行する方法であって、
前記二つ又はそれ以上のＣｏＭＰ ｅＮＢのうち、第１のＣｏＭＰ ｅＮＢにより、前記第１のＣｏＭＰ  ｅＮＢにより送信される第１のトランスポートブロック（transport block：ＴＢ）と前記第１のＴＢのスクランブリングに関連される第１のコードワードとの関係を含むダイナミック制御情報（ＤＣＩ）の第１の集合を構成するステップと、
前記第１のＣｏＭＰ ｅＮＢにより前記ＤＣＩの第１の集合を前記ＣｏＭＰ ＵＥに送信するステップと、を含み、
前記ＤＣＩの第１の集合は、前記第１のＣｏＭＰ ｅＮＢが前記第１のＣｏＭＰ ｅＮＢと関連される物理ダウンリンク共有チャンネル（ＰＤＳＣＨ）の独立的なスケジューリングを遂行することを許可する独立的なダウンリンク（ＤＬ）割り当てを含み、
前記ＤＣＩの第１の集合と、前記二つ又はそれ以上のＣｏＭＰ ｅＮＢのうち、第２のＣｏＭＰ ｅＮＢにより構成され送信され、前記第２のＣｏＭＰ ｅＮＢにより送信される第２のＴＢと前記第２のＴＢのスクランブリングに関連される第２のコードワードとの関係を含むＤＣＩの第２の集合は、それぞれ独立的に構成され、
前記ＤＣＩの第２の集合は、前記第２のＣｏＭＰ ｅＮＢが前記第２のＣｏＭＰ ｅＮＢと関連されるＰＤＳＣＨの独立的なスケジューリングを遂行することを許可する独立的なダウンリンク（ＤＬ）割り当てを含み、
前記第１のＴＢ及び前記第２のＴＢは、同一のキャリア上で送信され、前記第１のＴＢ及び前記第２のＴＢは、前記第１のコードワード及び前記第２のコードワードに各々マッピングされ、前記第１のＴＢ及び前記第２のＴＢ各々は、前記第１のＴＢ及び前記第２のＴＢを送信するｅＮＢに関連されるＰＤＳＣＨにより伝達され、
前記第１のコードワード及び前記第２のコードワードは、前記第１のＴＢのビットをスクランブリングするために使用されるスクランブリングシーケンス及び前記第２のＴＢのビットをスクランブリングするためのスクランブリングシーケンスを各々開始するために使用される
ことを特徴とする方法。
【請求項２】
前記第１のＣｏＭＰ ｅＮＢ及び前記第２のＣｏＭＰ ｅＮＢは、同一のキャリアで前記ＵＥに第３のＴＢ及び第４のＴＢを各々送信するように追加で構成される
ことを特徴とする請求項１に記載の方法。
【請求項３】
前記第１のＴＢ、前記第２のＴＢ、前記第３のＴＢ、及び前記第４のＴＢ各々は、前記第１のＴＢ、前記第２のＴＢ、前記第３のＴＢ、及び前記第４のＴＢ各々を異なるＴＢと区別するコードワードにマッピングされ、また、少なくとも一つのＴＢは、前記ＴＢを送信するｅＮＢと関連されるＰＤＳＣＨにより伝送される
ことを特徴とする請求項２に記載の方法。
【請求項４】
前記ＵＥが単一キャリアに対する複数の送信モードの同時構成を認識する場合、ｅＮＢ間のＣｏＭＰ ＪＴを開始するステップをさらに含む
ことを特徴とする請求項１に記載の方法。
【請求項５】
協調マルチポイント（ＣｏＭＰ）ユーザ端末機（ＵＥ）と二つ又はそれ以上のＣｏＭＰｅノードＢ（ｅＮＢ）との間のｅＮＢ間のＣｏＭＰジョイント送信（ＪＴ）を実行し、請求項１に定義されているような方法を遂行するように配列される装置。
【発明の詳細な説明】
【技術分野】
【０００１】
本願は、無線通信システムに関し、特にｅノードＢ間の協調マルチポイントジョイント送信（inter-eNode B coordinated multipoint joint transmission）を含む無線通信システムに関する。
【背景技術】
【０００２】
Ｒｅｌ.１１で、３ＧＰＰは、ユーザ端末機（user equipment：ＵＥ）が複数の送信ポイント（transmission point：ＴＰ）又はｅノードＢ（ｅＮＢ）からの信号受信を許可するロングタームエボリューション（Long Term Evolution：ＬＴＥ）に対する協調マルチポイント（coordinated multipoint：ＣｏＭＰ）技術を標準化した。Ｒｅｌ−１１サイト間のＣｏＭＰは、理想的なバックホール（backhaul）（例えば、ファイバ）を仮定して設計され、上記理想的なバックホールでレイテンシー（latency）は、無視してもよい程度で、上記バックホール能力は、イッシュー（issue）ではなかった。上記理想的なバックホール仮定のもとでは、中央集中制御器／スケジューラがＣｏＭＰに参加している全てのＴＰ又はｅＮＢの決定をスケジューリングする中央集中制御器／スケジューラアーキテクチャを具現することが実現可能であった。また、上記理想的なバックホールが異なるサイトのスケジューラ間の非常にタイトな協調を可能にする場合、分散スケジューラアーキテクチャを具現することも実現可能であった。
【発明の概要】
【発明が解決しようとする課題】
【０００３】
本開示は、協調マルチポイント（ＣｏＭＰ）ユーザ端末機（ＵＥ）と二つ又はそれ以上のＣｏＭＰｅノードＢ（ｅノードＢ）との間のｅノードＢ間のＣｏＭＰジョイント送信のため方法及びシステムを提供する。
【課題を解決するための手段】
【０００４】
第１の実施形態で、協調マルチポイント（ＣｏＭＰ）ユーザ端末機（ＵＥ）と二つ又はそれ以上のＣｏＭＰ ｅノードＢ（ｅＮＢ）との間のｅＮＢ間のＣｏＭＰジョイント送信（ＪＴ）を実行する方法が開示される。上記方法は、二つ又はそれ以上のＣｏＭＰ ｅＮＢのうち、第１のＣｏＭＰ ｅＮＢがダイナミック制御情報（ＤＣＩ）の第１の集合を構成することを含む。上記ＤＣＩの第１の集合は、上記第１のＣｏＭＰ ｅＮＢにより独立的に構成される。また、上記第１のＣｏＭＰ ｅＮＢが上記ＤＣＩの第１の集合を上記ＣｏＭＰ ＵＥに送信する。上記ＤＣＩの第１の集合は、上記第１のＣｏＭＰ ｅＮＢが上記第１のＣｏＭＰ ｅＮＢと関連される物理ダウンリンク共有チャンネル（ＰＤＳＣＨ）の独立的なスケジューリングを遂行することを許可する独立的なダウンリンク（ＤＬ）割り当てを含む。また、上記方法は、上記二つ又はそれ以上のＣｏＭＰ ｅＮＢのうち、第２のＣｏＭＰ ｅＮＢがＤＣＩの第２の集合を構成することを含む。上記ＤＣＩの第２の集合は、上記第２のＣｏＭＰ ｅＮＢにより独立的に構成される。また、上記第２のＣｏＭＰ ｅＮＢが上記ＤＣＩの第２の集合を上記ＵＥに送信する。上記ＤＣＩの第２の集合は、上記第２のＣｏＭＰ ｅＮＢが上記第２のＣｏＭＰ ｅＮＢと関連されるＰＤＳＣＨの独立的なスケジューリングを遂行することを許可する独立的なダウンリンク（ＤＬ）割り当てを含む。
【０００５】
第２の実施形態で、協調マルチポイント（ＣｏＭＰ）ユーザ端末機（ＵＥ）と二つ又はそれ以上のＣｏＭＰｅノードＢ（ｅＮＢ）との間のｅＮＢ間のＣｏＭＰを実行する方法が開示される。上記方法は、上記ＣｏＭＰ ＵＥを上記二つ又はそれ以上のｅＮＢのうち、基本ＣｏＭＰ ｅＮＢと関連される第１のセル無線ネットワーク臨時識別子（Ｃ−ＲＮＴＩ）で構成することを含む。上記ＣｏＭＰ ＵＥは上記二つ又はそれ以上のｅＮＢのうち、補助ＣｏＭＰ ｅＮＢと関連される第２のＣ−ＲＮＴＩで構成する。また、上記ＣｏＭＰ ＵＥは少なくとも上記第１のＣ−ＲＮＴＩ及び第２のＣ−ＲＮＴＩに基づいて物理ダウンリンク制御チャンネル／向上した物理ダウンリンク制御チャンネル（ＰＤＣＣＨ／ＥＰＤＣＣＨ）に対するＣｏＭＰ ＵＥ特定検索空間、上記二つ又はそれ以上のｅＮＢの各ｅＮＢに対するＰＤＣＣＨ／ＥＰＤＣＣＨのサイクリックリダンダンシーチェック（ＣＲＣ）のスクランブリング、又は上記二つ又はそれ以上のｅＮＢの各ｅＮＢに対する物理ダウンリンク共有チャンネル（ＰＤＳＣＨ）のスクランブリングのうち少なくとも一つを決定する。
【０００６】
第３の実施形態で、少なくとも第１の協調マルチポイント（ＣｏＭＰ）ｅノードＢ（ｅＮＢ）と第２のＣｏＭＰ ｅＮＢ間の物理リソースブロック（ＰＲＢ）を割り当てる方法を提供する。上記ＰＲＢは、上記第１のＣｏＭＰ ｅＮＢに対して割り当てられる一つ又はそれ以上のＰＲＢの第１の集合が上記第２のＣｏＭＰ ｅＮＢに対して割り当てられる一つ又はそれ以上のＰＲＢの第２の集合とオーバーラップされないように割り当てられる。上記第１のＣｏＭＰ ｅＮＢと第２のＣｏＭＰ ｅＮＢはそれぞれｅＮＢ間のＣｏＭＰジョイント送信（ＪＰ）に参加している。上記第１のＣｏＭＰ ｅＮＢは上記第２のＣｏＭＰ ｅＮＢにメッセージを送信する。上記メッセージは、 上記第２のＣｏＭＰ ｅＮＢが上記第２のＣ−ＲＮＴＩを使用してＣｏＭＰユーザ端末機（ＵＥ）とのデータ送信をスケジュールするのに使用してはならないＰＲＢの指示された集合を識別する。上記第２のＣｏＭＰ ｅＮＢは上記ＣｏＭＰ ＵＥとのデータ送信のための上記変調基準信号（ＤＭ−ＲＳ）ポートを選択する。上記第２のＣｏＭＰ ｅＮＢは上記ＣｏＭＰ ＵＥに上記ＰＲＢの指示された集合を含まないＰＲＢを使用してデータを送信する。
【０００７】
第３の実施形態で、ｅノードＢ（ｅＮＢ）間の協調マルチポイント（ＣｏＭＰ）ジョイント送信（ＪＴ）に参加する第１のＣｏＭＰ ｅＮＢと第２のＣｏＭＰ ｅＮＢが物理リソースブロック（ＰＲＢ）を独立的に割り当てる方法が開示される。上記方法は、ＣｏＭＰ ｅＮＢ ＪＴ参加前に、ＣｏＭＰユーザ端末機（ＵＥ）とのデータ送信のために構成される変調基準信号（ＤＭ−ＲＳ）ポートの第１の集合が上記第１のＣｏＭＰ ｅＮＢに対して予め決定される。また、ＣｏＭＰ ｅＮＢ ＪＴ参加前に、上記ＣｏＭＰ ＵＥとのデータ送信のために構成されるＤＭ−ＲＳポートの第２の集合が 第２のＣｏＭＰ ｅＮＢに対して予め決定される。上記第１のＣｏＭＰ ｅＮＢは上記ＣｏＭＰ ＵＥに対するデータ送信を上記ＤＭ−ＲＳポートの第１の集合を使用してスケジューリングする。上記第２のＣｏＭＰ ｅＮＢは上記ＣｏＭＰ ＵＥに対するデータ送信を上記ＤＭ−ＲＳポートの第２の集合を使用してスケジューリングする。
【０００８】
他の技術的な特徴が下記の図面ら、詳細な説明及び請求項より該当技術分野の当業者に容易に明白になり得る。
【０００９】
本発明を詳細に説明するのに先立って、本明細書の全般にわたって使用される特定の単語及び語句の定義を開示することが望ましい。“含む（include）”及び “備える（comprise）”という語句だけではなく、その派生語（derivatives thereof）は、限定ではなく、含みを意味する。“又は（or）”という用語は、“及び／又は（and/or）”の意味を包括する。“関連した（associated with）”及び“それと関連した（associated therewith）”という語句だけではなく、その派生語句は、“含む（include）”、“含まれる（be included within）”、“相互に連結する（interconnect with）”、“包含する（contain）”、“包含される（be contained within）”、“連結する（connect to or with）”、“結合する（couple to or with）”、“疎通する（be communicable with）”、“協力する（cooperate with）”、“相互配置する（interleave）”、“並置する（juxtapose）”、“近接する（be proximate to）”、“接する（be bound to or with）”、“有する（have）”、及び“特性を有する（have a property of）”などを意味することができる。制御部は、少なくとも１つの動作を制御する装置、システム又はその部分を意味するもので、ハードウェア、ファームウェア、ソフトウェア、又は、それらのうちの２つ以上の組合せで実現することができる。特定の制御部に関連する機能は、集中しているか、あるいは近距離、又は遠距離に分散されることもあることに留意すべきである。特定の単語及び語句に関するこのような定義は、本明細書の全般にわたって規定されるもので、当業者には、大部分の場合ではなくても、多くの場合において、このような定義がそのように定義された単語及び語句の先行使用にはもちろん、将来の使用にも適用されるものであることが自明である。
【図面の簡単な説明】
【００１０】
本発明のより完全な理解及びそれに従う利点は、添付された図面とともに考慮すれば、後述する詳細な説明を参照してより容易に理解できる。また、図面中、同一の参照符号は、同一であるか又は類似した構成要素を示す。
【００１１】
【図１】本開示による例題無線ネットワークを示す図である。
【図２Ａ】本開示による例題無線送信及び受信経路を示す図である。
【図２Ｂ】本開示による例題無線送信及び受信経路を示す図である。
【図３】本開示によるＵＥの一実施形態を示す図である。
【図４】本開示によるサイト内のＣｏＭＰを使用する同種ネットワークの一実施形態を示す図である。
【図５】本開示による同種ネットワークの一実施形態を示す図である。
【図６】本開示による異種ネットワークの一実施形態を示す図である。
【図７】本開示によるデータ経路の一実施形態を示す図である。
【図８Ａ】本開示によるＣＮ分割アーキテクチャの一実施形態を示す図である。
【図８Ｂ】本開示による無線アクセスネットワーク（Radio Access Network：ＲＡＮ）分割アーキテクチャの一実施形態を示す図である。
【図９】本開示による物理チャンネルプロセシングの概要の一実施形態を示す図である。
【図１０】本開示による上位レベルｅＮＢ間のＣｏＭＰ ＪＴ方法の一実施形態を示す図である。
【図１１】本開示によるＰＤＳＣＨに対するオーバーラップされないＰＲＢ割り当ての一実施形態を示す図である。
【図１２】本開示による周波数−ドメイン−基盤ＩＣＩＣリソース割り当ての一実施形態を示す図である。
【図１３】本開示による時間−ドメイン−基盤ｅＩＣＩＣリソース割り当ての一実施形態を示す図である。
【図１４】本開示によるＰＤＳＣＨに対する少なくとも部分的にオーバーラップされるＰＲＢ割り当ての一実施形態を示している。
【発明を実施するための形態】
【００１２】
以下に説明する図１乃至図１４及び本明細書において本発明の原理を説明するために使用される様々な実施形態は、例示に過ぎず、本発明の範囲を限定するものであると解釈されてはならない。当業者であれば、本発明の原理が適切に配置された無線通信システムで実現することができるものであることは自明である。
【００１３】
本開示の実施形態は、中央集中スケジューラ又はタイトなスケジューラ協調が不可能であり、上記レイテンシー（latency）が重要でない非理想的バックホール（non-ideal backhaul）を使用するｅＮＢ間のＣｏＭＰジョイント送信（ＪＴ）方式に対する向上を提供する。
【００１４】
図１は、本開示による例題無線ネットワーク１００を示している。図１に示された無線ネットワーク１００の実施形態は、例示だけのためであり、無線ネットワーク１００の他の実施形態は、本開示の範囲から外れることなく使用されることができる。
【００１５】
図１に示されているように、無線ネットワーク１００は、ｅノードＢ（ｅＮＢ）１０１、ｅＮＢ１０２及びｅＮＢ１０３を含む。ｅＮＢ１０１は、ｅＮＢ１０２及びｅＮＢ１０３と通信している。また、ｅＮＢ１０１は、上記インターネット、私有ＩＰネットワーク、又は他のデータネットワークのような少なくとも一つのインターネットプロトコル（Internet Protocol：ＩＰ）ネットワーク１３０と通信している。
【００１６】
ｅＮＢ１０２は、ｅＮＢ１０２のカバレッジ領域１２０内で第１の複数のユーザ端末機（ＵＥ）に対して、ネットワーク１３０に対する無線広域アクセスを提供する。第１の複数のＵＥは、スモールビジネス（small business：ＳＢ）に位置し得るＵＥ１１１、エンタープライズ（enterprise：Ｅ）に位置し得るＵＥ１１２、ＷｉＦｉホットスポット（ＨＳ）に位置し得るＵＥ１１３、第１のレジデンス（residence：Ｒ）に位置し得るＵＥ１１４、第２のレジデンス（Ｒ）に位置し得るＵＥ１１５、セルラー電話機、無線ラップトップ、無線ＰＤＡなどのような移動デバイス（mobile device：Ｍ）であり得るＵＥ１１６を含む。ｅＮＢ１０３は、ｅＮＢ１０３のカバレッジ領域１２５内で第２の複数のＵＥに対して、ネットワーク１３０に対する無線広域アクセスを提供する。第２の複数のＵＥは、ＵＥ１１５及びＵＥ１１６を含む。一部実施形態で、ｅＮＢ１０１−１０３のうち一つ又はそれ以上は、相互通信でき、５Ｇ、ＬＴＥ、ＬＴＥ−Ａ、ＷｉＭＡＸ、又は他のアドバンスト（advanced）無線通信技術を使用してＵＥ１１１−１１６と通信できる。
【００１７】
ネットワークタイプによって、“基地局（base station）”又は“アクセスポイント（access point）”のような他の公知の用語が“ｅノードＢ（ｅノードＢ）”又は“ｅＮＢ”の代わりに使用されることができる。便宜上、上記用語“ｅノードＢ”及び“ｅＮＢ”が本特許明細書で使われて遠隔端末機に無線アクセスを提供するネットワークインフラストラクチャーコンポーネントを表す。また、上記ネットワークタイプによって、“移動端末機（mobile station）”、“加入者端末機（subscriber station）”、“遠隔端末機（remote terminal）”、“無線端末機（wireless terminal）”、又は“ユーザデバイス（user device）”のような他の公知の用語が“ユーザ端末機（user equipment）”又は“ＵＥ”の代わりに使用されることができる。便宜上、上記用語“ユーザ端末機”及び“ＵＥ”が本特許明細書で使われてｅＮＢに無線でアクセスする遠隔無線端末機を示し、上記ＵＥが移動デバイス（移動電話機又はスマートフォン）であるか又は固定デバイス（例えば、デスクトップ個人用コンピュータ、ベンディングマシン、など）としてノーマルに考慮されるべきであるかを表す。
【００１８】
点線は、カバレッジ領域１２０、１２５の概略的大きさを示し、これはただ例示及び説明の目的だけのために概略的に円形で示されている。カバレッジ領域１２０、１２５のようなｅＮＢと関連されるカバレッジ領域は、上記ｅＮＢの構成及び自然的な、そして人為的な障害物と関連される上記無線環境での変更に基づいて不均一な形態を含む他の形態を有し得ることが明白に理解されるべきである。下記でより具体的に説明されるように、ｅＮＢ１０１、ｅＮＢ１０２及びｅＮＢ１０３のうち一つ又はそれ以上は、ここで説明されるｅＮＢ間のＣｏＭＰ ＪＴ方式を遂行するか又はサポートするように構成される。
【００１９】
図１が無線ネットワーク１００の一例を示しているとしても、多様な変更が図１に対してなされることができる。例えば、無線ネットワーク１００は、適合した配列でいずれの個数のｅＮＢ及びいずれの個数のＵＥでも含み得る。また、ｅＮＢ１０１は、いずれの個数のＵＥとも直接的に通信することができ、上記ＵＥにネットワーク１３０に対する無線広域アクセスを提供することができる。これと類似に、各ｅＮＢ１０２−１０３は、ネットワーク１３０と直接的に通信することができ、ＵＥにネットワーク１３０に対する直接的な無線広域アクセスを提供することができる。また、ｅＮＢ１０１、ｅＮＢ１０２、及び／又はｅＮＢ１０３は、外部電話ネットワーク又は他のタイプのデータネットワークのような他の又は追加的な外部ネットワークに対するアクセスを提供することができる。
【００２０】
図２Ａ及び図２Ｂは、本開示による例題無線送信及び受信経路を示している。下記の説明で、送信経路２００は、ｅＮＢ（ｅＮＢ１０２のような）で具現されると説明され、これに対して受信経路２５０は、ＵＥ（ＵＥ１１６のような）で具現されると説明され得る。しかしながら、受信経路２５０は、ｅＮＢで具現されることができ、送信経路２００は、ＵＥで具現され得ることが分かる。一部実施形態で、送信経路２００及び受信経路２５０は、ここで説明されるようなｅＮＢ間のＣｏＭＰ ＪＴ方式を遂行するか又はサポートするように構成される。
【００２１】
送信経路２００は、チャンネルコーディング及び変調ブロック２０５と、直列−並列（serial-to-parallel:Ｓ−ｔｏ−Ｐ）ブロック２１０と、サイズＮ逆高速フーリエ変換（Inverse Fast Fourier Transform：ＩＦＦＴ）ブロック２１５と、並列−直列（parallel-to-serial：Ｐ−ｔｏ−Ｓ）ブロック２２０と、サイクリックプレフィックス追加ブロック２２５及びアップコンバータ（ＵＣ）２３０を含む。受信経路２５０は、ダウンコンバータ（ＤＣ）２５５と、サイクリックプレフィックス除去ブロック２６０と、直列−並列（Ｓ−ｔｏ−Ｐ）ブロック２６５と、サイズＮ高速フーリエ変換（ＦＦＴ）ブロック２７０と、並列−直列（Ｐ−ｔｏ−Ｓ）ブロック２７５及びチャンネルデコーディング及び復調ブロック２８０を含む。
【００２２】
送信経路２００において、チャンネルコーディング及び変調ブロック２０５は、情報ビットの集合を受信し、コーディング（例えば、低密度パリティ検査（low-density parity check：ＬＤＰＣ）コーディング）を入力ビットに適用し変調することにより（例えば、直交位相シフトキーイング（Quadrature Phase Shift Keying：ＱＰＳＫ）又は直交振幅変調（Quadrature Amplitude Modulation:ＱＡＭ））周波数−ドメイン（frequency-domain）変調シンボルのシーケンスを生成する。
【００２３】
直列−並列ブロック２１０は、直列変調されたシンボルを並列データに変換することにより（すなわち、逆多重化（de-multiplex）することにより）Ｎ個の並列シンボルストリームを生成する。ここで、Ｎは、ｅＮＢ１０２及びＵＥ１１６で使用されるＩＦＦＴ／ＦＦＴサイズである。その後に、サイズＮ ＩＦＦＴブロック２１５は、Ｎ個の並列シンボルストリームに対してＩＦＦＴ動作を実行することにより、時間−ドメイン（time-domain）出力信号を生成する。並列−直列ブロック２２０は、サイズＮ  ＩＦＦＴブロック２１５からの並列時間−ドメイン出力シンボルを変換することにより（すなわち、多重化することにより）直列時間ドメイン信号を生成する。その後に、サイクリックプレフィックス追加ブロック２２５は、時間−ドメイン信号にサイクリックプレフィックスを挿入する。アップコンバータ２３０は、サイクリックプレフィックス追加ブロック２２５の出力を無線チャンネルを通した送信のためのＲＦ周波数に変調する（すなわち、アップコンバーティングする）。また、この信号は、ＲＦ周波数への変換の前に基底帯域でフィルタリングされ得る。
【００２４】
この送信されたＲＦ信号は、無線チャンネルを通して通過した後にＵＥ１１６に到着し、ＵＥ１１６では、ｅＮＢ１０２での動作に対する逆動作が実行される。
【００２５】
ダウンコンバータ２５５は、受信された信号を基底帯域周波数にダウンコンバートし、サイクリックプレフィックス除去ブロック２６０は、サイクリックプレフィックスを除去することにより直列時間−ドメイン基底帯域信号を生成する。直列−並列ブロック２６５は、時間−ドメイン基底帯域信号を並列時間ドメイン信号に変換する。その後に、サイズＮ  ＦＦＴブロック２７０は、ＦＦＴアルゴリズムを実行することによりＮ個の並列周波数−ドメイン信号を生成する。並列−直列ブロック２７５は、並列周波数−ドメイン信号を変調されたデータシンボルのシーケンスに変換する。チャンネルデコーディング及び復調ブロック２８０は、変調されたシンボルを復調した後にデコーディングすることにより元来の入力データストリームを復旧する。
【００２６】
基地局１０１−１０３の各々は、ＵＥ１１１−１１６に対するダウンリンクでの送信と類似した送信経路を具現でき、ＵＥ１１１−１１６からのアップリンクでの受信と類似した受信経路２５０を具現できる。同様に、ＵＥ１１１−１１６の各々は、基地局１０１−１０３に対するアップリンクでの送信のための送信経路２００を具現でき、基地局１０１−１０３からのダウンリンクでの受信のための受信経路２５０を具現できる。
【００２７】
図２Ａ及び図２Ｂに含まれているコンポーネントの各々は、ソフトウェアだけを使用して具現されるか、又はハードウェア及びソフトウェア／ファームウェアの組み合わせを使用して具現され得る。特別な例として、図２Ａ及び図２Ｂに含まれているコンポーネントのうちの少なくとも一部は、ソフトウェアで具現されることができ、これとは異なり、他のコンポーネントは、構成可能なハードウェア又はソフトウェアと構成可能なハードウェアの組み合せにより具現されることができる。例えば、ＦＦＴブロック２７０及びＩＦＦＴブロック２１５は、構成可能ソフトウェアアルゴリズムとして具現されることができ、ここで、サイズＮの値は、この具現に従って修正されることができる。
【００２８】
また、ＦＦＴ及びＩＦＦＴを使用することが説明されているが、これは、図示だけのためのものであり、本開示の範囲を限定するものと解釈されてはいけない。離散フーリエ変換（Discrete Fourier Transform：ＤＦＴ）及び逆離散フーリエ変換（Inverse Discrete Fourier Transform:ＩＤＦＴ）機能のような他のタイプの変換が使用されることができる。ＤＦＴ及びＩＤＦＴ機能に対して、変数Ｎの値は、任意の整数（即ち、１、２、３、４など）であり得、他方、ＦＦＴ及びＩＦＦＴ機能に対して、変数Ｎの値は、Ｎ変数の値は、２の冪（すなわち、１、２、４、８、１６など）である任意の整数であり得る。
【００２９】
図２Ａ及び図２Ｂが無線送信及び受信経路の例を示しているとしても、多様な変更が図２Ａ及び図２Ｂに対してなされることができる。例えば、図２Ａ及び図２Ｂでの多様なコンポーネントは、組合わされるか、追加的にサブ分割されるか、又は省略でき、他のコンポーネントが特別な必要に応じて追加されることができる。また、図２Ａ及び図２Ｂは無線ネットワークで使用され得る送信及び受信経路のタイプの例を示している。いずれの他の適合したアーキテクチャでも無線ネットワークで無線通信をサポートするために使用されることができる。
【００３０】
図３は、本開示によるＵＥ１１６の一例を示している。図３に示されたＵＥ１１６の一実施形態は、図示だけのためのものであり、図１のＵＥ１１１−１１５は、同一又は類似の構成を有することができる。しかしながら、ＵＥには、多様な構成が導入され、したがって、図３は、本開示の範囲をＵＥの特定の具現で制限しない。
【００３１】
図３に示されているように、ＵＥ１１６は、アンテナ３０５、無線周波数（radio frequency：ＲＦ）送受信器３１０、送信（transmit：ＴＸ）処理回路３１５、マイクロフォン（microphone）３２０及び受信（receive：ＲＸ）処理回路３２５を含む。また、ＵＥ１１６は、スピーカ３３０、メインプロセッサ（main processor）３４０、入／出力（input/output：Ｉ／Ｏ）インターフェース（interface：ＩＦ）３４５、キーパッド（keypad）３５０、ディスプレイ（display）３５５及びメモリ３６０を含む。メモリ３６０は、オペレイティングシステム（operating system：ＯＳ）プログラム３６１及び一つ又はそれ以上のアプリケーション３６２を含む。
【００３２】
ＲＦ送受信器３１０は、アンテナ３０５からネットワーク１００のｅＮＢにより送信された入力ＲＦ信号を受信する。ＲＦ送受信器３１０は、上記入力ＲＦ信号をダウンコンバーティングして、中間周波数（intermediate frequency:ＩＦ）又は基底帯域信号を生成する。上記ＩＦ又は基底帯域信号は、ＲＸ処理回路３２５に送信され、ＲＸ処理回路３２５は、上記基底帯域又はＩＦ信号をフィルタリング、デコーディング、及び／又はデジタル化を行うことによりプロセシングされた基底帯域信号を生成する。ＲＸ処理回路３２５は、追加的なプロセシングのために上記プロセシングされた基底帯域信号をスピーカ３３０（音声データのために）又はメインプロセッサ３４０（ウェブブラウジングデータ（webbrowsing data）のために）に送信する。
【００３３】
ＴＸ処理回路３１５は、マイクロフォン３２０からのアナログ又はデジタル音声データ又は他の出力基底帯域データ（ウェブデータ、電子メール、又は双方向ビデオゲームデータ（interactive video game data）のような）を受信する。ＴＸ処理回路３１５は、上記出力基底帯域データをエンコーディング、マルチプレキシング及び／又はデジタル化を行うことによりプロセシングされた基底帯域又はＩＦ信号を生成する。ＲＦ送受信器３１０は、ＴＸ処理回路３１５から上記出力プロセシングされた基底帯域又はＩＦ信号を受信して、上記基底帯域又はＩＦ信号をアンテナ３０５を通して送信されるＲＦ信号にアップコンバーティングする。
【００３４】
メインプロセッサ３４０は、一つ又はそれ以上のプロセッサ又は他のプロセシングデバイスを含むことができ、ＵＥ１１６の全般的な動作を制御するためにメモリ３６０に保存されている基本ＯＳプログラム３６１を実行できる。例えば、メインプロセッサ３４０は、公知の原則によってＲＦ送受信器３１０、ＲＸ処理回路３２５及びＴＸ処理回路３１５による順方向チャンネル信号の受信及び逆方向チャンネル信号の送信を制御することができる。一部実施形態で、メインプロセッサ３４０は、少なくとも一つのマイクロプロセッサ又はマイクロ制御器を含む。
【００３５】
メインプロセッサ３４０は、またここで説明されるようなｅＮＢ間のＣｏＭＰ ＪＴ通信のための動作のような、メモリ３６０に内在されている他のプロセス及びプログラムを実行することができる。メインプロセッサ３４０は、データを実行中であるプロセスにより要求される場合、メモリ３６０内へ又はメモリ３６０から移動させることができる。一部実施形態で、メインプロセッサ３４０は、ＯＳプログラム３６１に基づいて又はｅＮＢ又は運営者から受信される信号に応答してアプリケーション３６２を実行するように構成される。また、メインプロセッサ３４０は、Ｉ／Ｏインターフェース３４５に連結され、Ｉ／Ｏインターフェース３４５は、ＵＥ１１６にラップトップコンピュータ及びハンドヘルド（handheld）コンピュータなどのような他のデバイスに対する連結能力を提供する。Ｉ／Ｏインターフェース３４５は、このようなアクセサリーとメイン制御器３４０との間の通信経路である。
【００３６】
また、メインプロセッサ３４０は、キーパッド３５０及びディスプレイユニット３５５に連結される。ＵＥ１１６の運営者は、キーパッド３５０を使用してＵＥ１６６にデータを入力できる。ディスプレイ３５５は、例えばウェブサイトからのテキスト及び／又は少なくとも制限されたグラフィックをレンダリング（rendering）できる液晶クリスタルディスプレイ又は他のディスプレイであり得る。
【００３７】
メモリ３６０は、メインプロセッサ３４０に連結される。メモリ３６０の一部は、ランダムアクセスメモリ（random access memory：ＲＡＭ）を含むことができ、メモリ３６０の残り部分は、フラッシュメモリ又は他のリードオンリメモリ（read-only memory：ＲＯＭ）を含み得る。
【００３８】
図３がＵＥ１１６の一例を示しているとしても、多様な変更が図３に対してなされることができる。例えば、図３での多様なコンポーネントは、組合わされるか、追加的にサブ分割されるか、又は省略でき、他のコンポーネントが特別な必要に応じて追加されることができる。また、特別な例として、メインプロセッサ３４０は、一つ又はそれ以上の中央プロセシングユニット（central processing unit：ＣＰＵ）及び一つ又はそれ以上のグラフィックプロセシングユニット（graphicsprocessingunit：ＧＰＵ）などのような複数のプロセッサに分割されることができる。また、図３では、ＵＥ１１６が移動電話機又はスマートフォンのように構成されているとしても、ＵＥは他のタイプの移動又は固定デバイスとして動作するように構成され得る。
【００３９】
ロングタームエボリューション（ＬＴＥ）Ｒｅｌ−１１で、第３世代パートナーシッププロジェクト（3rd Generation Partnership Project：３ＧＰＰ）は、上記ユーザ端末機（user equipment：ＵＥ）がいくつかの配置シナリオ下で、複数個の送信ポイント（transmission point：ＴＰ）からの信号受信を許可する上記技術（協調マルチポイント（Coordinated MultiPoint）又は“ＣｏＭＰ”）を標準化した。
【００４０】
シナリオ１：図４に示されているような、サイト内のＣｏＭＰを使用する同種ネットワーク；
シナリオ２：図５に示されているような、高いＴｘ電力遠隔無線ヘッド（remote radio head：ＲＲＨ）を使用する同種ネットワーク；
シナリオ３：図６に示されているような、上記送／受信ポイントが上記マクロセルのセル識別子（identifier：ＩＤ）と異なるセルＩＤを有する遠隔無線ヘッド（remote radio head：ＲＲＨ）により生成される上記マクロセルカバレッジ内の低い電力ＲＲＨを使用する異種ネットワーク；及び
シナリオ４：図６に示されているような、上記送／受信ポイントが上記マクロセルのセルＩＤと同一のセルＩＤを有するＲＲＨにより生成される上記マクロセルカバレッジ内の低い電力ＲＲＨを使用する異種ネットワーク。
【００４１】
規格化に焦点を合せて識別された上記ＣｏＭＰ方式は：
ジョイント送信（Joint transmission：ＪＴ）；
ダイナミックポイントブランキング（dynamic point blanking）を含む、ダイナミックポイント選択（Dynamic point selection：ＤＰＳ）；及び
ダイナミックポイントブランキングを含む協調スケジューリング／ビームフォーミング（Coordinated scheduling/beamforming）である。
【００４２】
Ｒｅｌ−１１サイト間のＣｏＭＰは、理想的なバックホール（例えば、ファイバ）を仮定して設計され、上記理想的なバックホールでは、レイテンシーが無視可能な程度で、上記バックホール能力は、イッシューではなかった。上記理想的なバックホール仮定のもとでは、中央集中制御器／スケジューラがＣｏＭＰに参加している全てのＴＰの決定をスケジューリングする中央集中制御器／スケジューラアーキテクチャを具現することが実現可能であった。また、上記理想的なバックホールが異なるサイトのスケジューラ間の非常にタイトな協調を可能にする場合、分散スケジューラアーキテクチャを具現することも実現可能であった。２０１２年１１月ＩＥＥＥ通信マガジン、Vo l50、Issue 11、44-50頁のJuho Leeなどの“ＬＴＥ−アドバンストシステムでの協調マルチポイント送信及び受信(Juho Lee et al、“Coordinated Multipoint Transmission and Reception in LTE-Advanced Systems”、IEEECommunicationsMagazine、Vo  l50、Issue 11、Page(s) 44-50、Nov 2012)で、３ＧＰＰ ＬＴＥ Ｒｅｌ−１１ＣｏＭＰの概要が検索される。
【００４３】
Ｒｅｌ−１２に対しては、ＣｏＭＰに対する追加的な向上が上記レイテンシーが重要な上記非理想的バックホール（例えば、マイクロウェーブ、銅）を考慮するために提案されたことがある。中央集中スケジューラ又はタイトなスケジューラ協調が不可能な非理想的バックホールを仮定する場合、上記ｅＮＢ間のＣｏＭＰフレームワークは、上記ＣｏＭＰ送信でＴＰとして参加している各進化したノードＢ（evolved NodeB：ｅＮＢ）がダウンリンク共有チャンネル（downlink shared channel：ＤＬ−ＳＣＨ）データを独立的にスケジュールし、同一のキャリア周波数でＵＥに送信することができるｅＮＢ間のＣｏＭＰ ＪＰ方式をサポートするために設計される。
【００４４】
理想的なバックホールを使用するＲｅｌ−１１ＣｏＭＰ ＤＰＳに対するランク統計のために、２種類意見を考慮することが有用であり得る。最初に、ｎ番目のＴＰをｎ番目に大きい平均ＤＬ受信電力を有するＴＰとして示す。表１は、ＴＰ選択比率を示している。表１のように、第１の意見は、最初のＴＰ（最大の受信電力）にＤＰＳのための時間の大部分が選択され得るということである。これは、上記最初のＴＰからのチャンネル条件が大部分の時間の間に他のＴＰと比較する時、より良好であるということを暗示する。
【００４５】
＜表１＞：ＴＰ選択比率
【００４６】
【表１】
0006536899.tif 000002
【００４７】
表２は、フルバッファートラフィック（full buffer traffic）及び６ｄＢのＣｏＭＰ臨界値を仮定する場合、ターゲットＵＥに対して構成される各ＴＰに対するランク統計を示し、表３は、リソース使用（Resource Utilization：ＲＵ）＝０.５を使用するＦＴＰトラフィック及び６ｄＢのＣｏＭＰ臨界値を仮定する場合、ターゲットＵＥに対して構成される各ＴＰに対するランク統計を示している。表２及び表３のように、第２の意見は、上記ＵＥは、最大の平均受信電力を有するＴＰからランク２割り当てを依然として有することができるとのことである。
【００４８】
＜表２＞：ターゲットＵＥに対して構成される各ＴＰに対するランク統計（フルバッファートラフィック、ＣｏＭＰ臨界値＝６ｄＢ）
【００４９】
【表２】
0006536899.tif 000003
【００５０】
＜表３＞：ターゲットＵＥに対して構成される各ＴＰに対するランク統計（ＲＵ＝０.５を使用するＦＴＰトラフィック）
【００５１】
【表３】
0006536899.tif 000004
【００５２】
ｅＮＢ間のＣｏＭＰ ＪＴは、多くのシナリオで有益であり得る。例えば、ｅＮＢ間のＣｏＭＰ ＪＴは、上記ＵＥのチャンネルが大部分の時間の間、上記最初のＴＰからのランク−１送信のみを持続させることができる場合で有益であり得る。この場合、第２のＴＰからの第２の送信を有するｅＮＢ間のＣｏＭＰ ＪＴは、平均セルエッジ処理量を改善させることができる。他の例で、ｅＮＢ間のＣｏＭＰ ＪＴは、上記ＵＥのチャンネルが大部分の時間の間に上記最初のＴＰからのランク−２送信をサポートできる場合（図６のＨｅｔＮｅｔシナリオ−ＣｏＭＰシナリオ３で有益であり得る。この場合、オーバーラップされないリソースブロック（非フルバッファートラフィック（non-full buffer traffic）に対してのように）で追加的な物理ダウンリンク共有チャンネル（Physical Downlink Shared Channel：ＰＤＳＣＨ）送信を有するｅＮＢ間のＣｏＭＰ ＪＴは、上記平均セル処理量を改善させることができる。少なくとも上記のようなシナリオに対しては、上記一般的なＵＥが最大ランク−２受信のみまでサポートできるということが仮定されなければならない。また、ＵＥがより大きいＰＤＣＣＨ／ＥＰＤＣＣＨ能力を要求する複数個のＰＤＣＣＨ／ＥＰＤＣＣＨの割り当てを受けた場合、媒体ネットワークに対する低いロード（load）がターゲットとなる。
【００５３】
ＵＥは、一般的にＬＴＥで一つのｅＮＢに接続することができる。図７は、上記データが上記ＵＥが接続している上記ｅノードＢを通して上記Ｓ−ＧＷから送信され上記ＵＥに伝達される単一接続を示している。
【００５４】
ｅＮＢ間のＣｏＭＰ ＪＴに対して、上記ＵＥは、複数個のｅノードＢからデータを受信することができる。二つの上位階層アーキテクチャは、ｅノードＢ間のＣｏＭＰ ＪＴに対して具現され得る。一実施形態で、コアネットワーク（Core Network：ＣＮ）分割アーキテクチャが具現され得る。図８Ａは、本開示によるＣＮ分割アーキテクチャの一実施形態を示している。特に、図８Ａは、上記ｅノードＢ各々が上記ＵＥにデータを送信する場合、上記ＵＥが上記Ｓ−ＧＷから直接的にデータを受信し得るＣＮ分割アーキテクチャの実施形態を示している。図８Ａは、本開示による無線アクセスネットワーク（Radio Access Network：ＲＡＮ）分割アーキテクチャの一実施形態を示している。ＲＡＮ分割アーキテクチャを使用する場合、１個のｅＮＢは、上記Ｓ−ＧＷから直接的に上記ＵＥに対するデータを受信することができ、上記ＵＥに上記受信されるデータの一部を送信することができる。追加的に、ＲＡＮ分割アーキテクチャを使用する場合、上記ｅＮＢは、送信のために一つ又はそれ以上のｅＮＢに上記Ｘ２インターフェースを介して上記データの残り部分を転送することができる。
【００５５】
追加的な進行前に、物理チャンネルプロセシングの概要が開示される。上記Ｒｅｌ−８／９／１０／１１ ＰＤＳＣＨプロセシングに関するバックグラウンド情報は、３ＧＰＰ ＴＳ３６.２１１ Ｖ１１.１.０（２０１２−１２）及び３ＧＰＰ ＴＳ３６.２１２Ｖ１１.１.０（２０１２−１２）で検索可能である。上記物理チャンネルプロセシングの概要の実施形態は、３ＧＰＰ ＴＳ３６.２１１ Ｖ１１.１.０（２０１２−１２）だけでなく、本開示によって図９に示されているようである。
【００５６】
物理チャンネルプロセシングは、ＰＤＳＣＨスクランブリングを含む。ＰＤＳＣＨスクランブリングを使用して、各コードワードqに対しては、ビット
【００５７】
【数１】
0006536899.tif 000005
【００５８】
のブロックであり、ここで、
【００５９】
【数２】
0006536899.tif 000006
【００６０】
は、一つのサブフレームで上記物理チャンネルで送信されるコードワードqに含まれているビットの個数である。上記ビットのブロックは、下記のような数式によってスクランブリングされるビット
【００６１】
【数３】
0006536899.tif 000007
【００６２】
のブロックを発生させる変調前にスクランブリングされ得る。
【００６３】
【数４】
0006536899.tif 000008
【００６４】
ここで、上記スクランブリングシーケンスc(q)(i)は、３ＧＰＰ ＴＳ３６.２１１ Ｖ１１.１.０（２０１２−１２）のセクション７.２によって与えられる。上記スクランブリングシーケンス生成器は、各サブフレームの開始で初期化され、上記cinitの初期値は、下記の数式に従う上記トランスポートチャンネルタイプ（transport channel type）を基にする。
【００６５】
【数５】
0006536899.tif 000009
【００６６】
ここで、nRNTIは、３ＧＰＰ ＴＳ３６.３２１ Ｖ１１.２.０（２０１２−１２）のセクション７.１に説明されているような上記ＰＤＳＣＨ送信と関連される上記無線ネットワーク臨時識別子（radio network temporary identifier:ＲＮＴＩ）に対応する。また、最大二つのコードワードが一つのサブフレームで送信されることができる（q∈{0,1}のように）。追加的に、上記単一コードワード送信の場合で、qは０と同一である。
【００６７】
送信モード９又は１０を使用するＲｅｌ−１０／１１ ＬＴＥダウンリンク電力割り当てに対して、ＵＥ−特定基準信号（reference signal：ＲＳ）が上記該当する物理ダウンリンク共有チャンネル（physical downlink shared channel:ＰＤＳＣＨ）にマッピングされる上記物理リソースブロック（physical resource block：ＰＲＢ）に存在できる場合、上記ＵＥは、ＵＥ−特定ＲＳを含む各ＯＦＤＭシンボル内のリソースエレメント別ＰＤＳＣＨエネルギー（energy per resource element：ＥＰＲＥ）対ＵＥ−特定ＲＳ ＥＰＲＥの比を二つ以下の、複数の送信階層に対して０ｄＢと仮定する。そうでない場合、上記ＵＥは、ＵＥ−特定ＲＳを含む各ＯＦＤＭシンボル内のリソースエレメント別ＰＤＳＣＨエネルギー（energy per resource element：ＥＰＲＥ）対ＵＥ−特定ＲＳ ＥＰＲＥの比を−３ｄＢと仮定する。
【００６８】
少なくとも本開示の目的のために、上記基本ＣｏＭＰ ｅＮＢは、ＵＥが初期アクセス時に加入するｅＮＢであり得る。また、上記補助ＣｏＭＰ ｅＮＢは、上記基本ＣｏＭＰ ｅＮＢを除外した上記ｅＮＢ間のＣｏＭＰ ＪＴ方式に関連する一つ又はそれ以上のｅＮＢであり得る。上記ｅＮＢ間のＣｏＭＰ ＪＴ方式に参加している上記ｅＮＢは、上記ＣｏＭＰ ｅＮＢと称され、上記ｅＮＢ間のＣｏＭＰ ＪＴ方式に参加している上記ＵＥは、上記ＣｏＭＰ ＵＥと称される。ここでは、時々ＣｏＭＰ ｅＮＢをＴＰと称する。
【００６９】
図１０は、本開示による上位レベルｅＮＢ間のＣｏＭＰ ＪＴ方法の一実施形態を示している。一般的に、上記方法は、上記ｅＮＢ間のＣｏＭＰ ＪＴに参加するのに適合するか又は上記ｅＮＢ間のＣｏＭＰ ＪＴに参加するように構成されたｅＮＢの集合を決定するか又は識別する上記ネットワーク（上記基本ＣｏＭＰ ｅＮＢのような）を含み得る。また、上記方法は、上記ｅＮＢ間の必須な構成をセットアップし、ＵＥ移動又は上記チャンネル条件での変更に基づいて上記ＵＥを構成又は再構成することを含み得る。
【００７０】
ステップ１００５で、一実施形態で、上記基本ＣｏＭＰ ｅＮＢは、ＣｏＭＰリソース管理（ＣｏＭＰ resource management：ＣＲＭ）構成を具現し得る。上記基本ＣｏＭＰ ｅＮＢは、ｅＮＢ間のＣｏＭＰ ＪＴに参加するのに適合したｅＮＢ（又はＴＰ）の集合を決定するためにＣＲＭ構成を具現する。ＣＲＭを使用して、上記基本ＣｏＭＰ ｅＮＢは、上記ｅＮＢから送信される信号のＵＥ測定報告に基づいてｅＮＢ間のＣｏＭＰ ＪＴに参加するのに適合したｅＮＢ（又はＴＰ）の集合を決定する。一実施形態で、ＣＲＭのために上記ＵＥにより測定される信号は、ＣＳＩ−ＲＳ、ＣＲＳ、探索信号（スモールセルに対してのように）などであり得る。便宜上、本開示内で、このような信号をＣＳＩ−ＲＳと称するが、このような信号がＣＳＩ−ＲＳのみに制限されるのではない。追加的に、上記隣接ｅＮＢがＸ２送信を介して又はＯＡＭ送信を介して上記各ＣＳＩ−ＲＳリソースに対する情報を予め交換できると仮定する。したがって、上記基本ＣｏＭＰ ｅＮＢは、上記ＣＲＭの目的のために上記ＵＥに構成されるＣＳＩ−ＲＳリソースの集合が分かる。
【００７１】
ステップ１０１０で、一実施形態で、上記ＵＥは、上記ＣｏＭＰリソース測定値（CoMP resource measurement：ＣＲＭ）を測定でき、上記ＣＲＭ測定値を上記基本ＣｏＭＰ ｅＮＢに報告することができる。上記ＵＥによるＣＲＭ測定及び報告方法は、Ｒｅｌ−１１（例えば、２０１２年１１月ＩＥＥＥ通信マガジン、Vo l50、Issue 11、ページ44-50のJuho Leeなどの“ＬＴＥ−アドバンストシステムでの協調マルチポイント送信及び受信”(Juho Lee et al,“Coordinated Multipoint Transmission and Reception in LTE-Advanced Systems”,IEEE Communications Magazine,Vo l50, Issue 11, Page(s)44-50, Nov 2012を参照）に開示されている上記ＣＲＭ手順と類似である。
【００７２】
また、ステップ１００５及びステップ１０１０が基本ＣｏＭＰ ｅＮＢがｅＮＢ間のＣｏＭＰ ＪＴに参加するのに適合したｅＮＢ（又はＴＰ）の集合を決定するために使用され得る間、上記基本ＣｏＭＰ ｅＮＢは、またｅＮＢ間のＣｏＭＰ ＪＴに参加するのに適合したｅＮＢ（又はＴＰ）の集合を決定するのに有用な他のいずれの手段でも使用することができる。例えば、上記ＣＲＭ方法に対する代替方法は、上記基本ＣｏＭＰ ｅＮＢが上記サウンディング基準信号（sounding reference signals：ＳＲＳ）のようなＵＬ信号の測定値、又は上記ＧＰＳ情報のような他の有用な位置情報、又は３ＧＰＰ ＴＳ３６.３５５Ｖ１１.０.０（２０１２−０９）に開示されている位置基準信号からの測定値を基盤とするようにすることができる。
【００７３】
ステップ１０１５で、一実施形態で、上記基本ＣｏＭＰ ｅＮＢは、ｅＮＢ間のＣｏＭＰ ＪＴ動作の開始を決定する。上記基本ＣｏＭＰ ｅＮＢは、上記ＵＥ測定報告に基づいてｅＮＢ間のＣｏＭＰ ＪＴ動作の開始を決定することができる。また、上記基本ＣｏＭＰ ｅＮＢは、隣接ｅＮＢの集合を選択することができる。コアネットワーク（Core Network：ＣＮ）分割上位階層アーキテクチャの場合で、このような決定は、上記基本ＣｏＭＰ ｅＮＢにより選択されたｅＮＢが上記サービングゲートウェイから上記ＵＥに対するデータの受信を開始できるようにするために上記コアネットワークに伝達されることができる。
【００７４】
特定の実施形態で、ｅＮＢ間のｅＮＢ間のＣｏＭＰリソース交渉が発生し得る。ｅＮＢ間のＣｏＭＰリソース交渉は、上記基本ＣｏＭＰ ｅＮＢにより選択された又は選抜されたｅＮＢ（上記補助ＣｏＭＰ ｅＮＢのような）が上記選択された又は選抜されたｅＮＢの各々に対するＣｏＭＰリソースの割り当てを決定することを許可することを含む。例えば、ｅＮＢ間のＣｏＭＰリソース交渉メッセージは、Ｘ２インターフェースを介して上記選択された又は選抜されたｅＮＢ間で交換され得る。ｅＮＢ間のｅＮＢ間のＣｏＭＰリソース交渉を使用して、上記基本ＣｏＭＰ ｅＮＢは、ステップ１０２０に示されているように、上記補助ＣｏＭＰ ｅＮＢに対するリソースを要求し、上記補助ＣｏＭＰ ｅＮＢは、ステップ１０２５に示されているように上記基本ＣｏＭＰ ｅＮＢに対するリソースを割り当てることができる。特定の実施形態で、ＣｏＭＰリソースは、次のようなものうち一つ又はそれ以上を示すことができる：物理リソースブロック（ｐhysical resource block：ＰＲＢ）、サブフレーム、ＤＭ−ＲＳポート、仮想Ｃ−ＲＮＴＩ、など。
【００７５】
ステップ１０３０で、上記補助ＣｏＭＰ ｅＮＢからスケジュールされ送信されるデータは、上記基本ＣｏＭＰ ｅＮＢから上記一つ又はそれ以上の補助ＣｏＭＰ ｅＮＢに転送される。少なくともこの方式でデータ転送は、特に上記ＲＡＮ分割上位階層アーキテクチャに対して関連される。
【００７６】
ステップ１０３５で、無線リソース制御（radio resource control：ＲＲＣ）構成は、ｅＮＢ間のＣｏＭＰに対して発生し得る。特定の実施形態で、ｅＮＢ間のＣｏＭＰに対するＲＲＣ構成は、ｅＮＢ間のＣｏＭＰに対するチャンネル状態情報−基準信号（channel state information-reference signal：ＣＳＩ−ＲＳ）リソース構成を含み得る。ｅＮＢ間のＣｏＭＰに対するＣＳＩ−ＲＳリソースを構成するいくつの方法が存在する。例えば、各ＴＰは、一般的にＣＳＩ−ＲＳリソース構成と関連される。“Ｎ”個のＴＰがｅＮＢ間のＣｏＭＰ送信に関連すると仮定する場合、“Ｎ”個のＣＳＩ−ＲＳリソースが上記ＵＥに対して構成され得る。各ＣＳＩ−ＲＳリソースに対する上記ＣＳＩフィードバックモード及び他のＣＳＩ測定仮定が各ＴＰに対して別途に構成され得る。上記ＵＥは、上記“Ｎ”個の構成されたＣＳＩ−ＲＳリソースを測定し、ＣＳＩを各ｅＮＢにフィードバックすることができる。一般的に、上記ｅＮＢに対するＣＳＩ伝達方法は、このＤＯＩの範囲外にある。しかしながら、少なくとも本開示に対しては、ｅＮＢ間のＣｏＭＰに関連する各ｅＮＢが上記ｅＮＢとＵＥ間のＤＬチャンネルに対応するＣＳＩを受信できると仮定することが充分である。
【００７７】
特定の実施形態で、ｅＮＢ間のＣｏＭＰに対するＲＲＣ構成は、ｅＮＢ間のＣｏＭＰに対する準共存（quasico-location：ＱＣＬ）構成を含み得る。３ＧＰＰ ＴＳ３６.２１３Ｖ１１.１.０（２０１２−１２）のセクション７.１.１０に説明されているように、特定配置シナリオに対して、上記ネットワークが３ＧＰＰ ＴＳ３６.２１３Ｖ１１.１.０（２０１２−１２）のセクション７.１.１０にも説明されているＱＣＬ動作Ａを仮定することが可能であるとしても、Ｒｅｌ−１１ＱＬＣ動作Ｂは、一般的にｅＮＢ間のＣｏＭＰに対して適用可能である。
【００７８】
特定の実施形態で、ｅＮＢ間のＣｏＭＰに対するＲＲＣ構成は、ｅＮＢ間のＣｏＭＰに対するＰＤＳＣＨレートマッチング（rate matching）構成を含み得る。Ｒｅｌ−１１ ＣｏＭＰと同様に、各ＰＤＳＣＨに対する上記セル−特定基準信号（cell-specific reference signal：ＣＲＳ）レートマッチングパターン、マルチメディアブロードキャストマルチキャストサービス単一周波数ネットワーク（multimedia broadcast multicast service single frequency network：ＭＢＳＦＮ）サブフレーム構成、ＰＤＳＣＨ開始シンボル及びゼロ電力（zero power：ＺＰ）ＣＳＩ−ＲＳは、相異であり得る。
【００７９】
ステップ１０４０で、特定の実施形態で、上記基本ＣｏＭＰ ｅＮＢ及び一つ又はそれ以上の補助ＣｏＭＰ ｅＮＢはスケジューリングを遂行することができ、事前交渉されたリソースを使用して送信を遂行することができる。例えば、上記基本ＣｏＭＰ ｅＮＢは、ＰＤＣＣＨ／ＥＰＤＣＣＨ又はＰＤＳＣＨを通して送信を遂行することができ、一つ又はそれ以上の補助ＣｏＭＰ ｅＮＢはＥＰＤＣＣＨ又はＰＤＳＣＨを通して送信を遂行することができる。ステップ１０４０は、少なくとも各ｅＮＢに対する独立的なダウンリンク（downlink：ＤＬ）割り当てに対してここで追加的に論議される。
【００８０】
ステップ１０４５で、特定の実施形態で、ＣｏＭＰ ｅＮＢ間の（基本ＣｏＭＰ ｅＮＢ及び補助ＣｏＭＰ ｅＮＢ間、又は補助ＣｏＭＰ ｅＮＢ間のような）追加的なリソース交渉又は再交渉が発生し得る。上記追加的なリソース交渉又は再交渉は、例えば、ＵＥ移動又はチャンネル条件変更によって発生し得る。また、特定の実施形態で、上記ｅＮＢ間のＣｏＭＰ動作は、終了され得る。
【００８１】
上述したように、上記基本ＣｏＭＰ ｅＮＢ及び一つ又はそれ以上の補助ＣｏＭＰ ｅＮＢはスケジューリングを遂行することができ、事前交渉されたリソースを使用して送信を遂行することができる。このステップは、各ｅＮＢからの独立的なＤＬ割り当てを使用して実行されることができる。各ｅＮＢからの独立的なＤＬ割り当てに対するフレームワークの理解のために、ＵＥに対してｅＮＢ間のＣｏＭＰ ＪＴを遂行するように構成されたＮ個のＴＰが存在すると仮定し、ここで、Ｎ＝２、３、４、…である。特定の実施形態で、上記Ｎ個のＴＰ各々は、同一のキャリアで上記ＵＥに単一トランスポートブロック（Transport Block：ＴＢ）を送信することができる。この場合、各トランスポートブロックは、ＰＤＳＣＨにより伝達されることができる。特定の実施形態で、上記Ｎ個のＴＰ各々は、同一のキャリアで上記ＵＥに最大２個のＴＢまで送信することができる。例えば、一つ又はそれ以上のＴＢがＰＤＳＣＨにより伝達されることができる。
【００８２】
上記Ｎ個のＴＰ各々が同一のキャリアで上記ＵＥに単一ＴＢを送信し得る各ｅＮＢに対する独立的なＤＬ割り当ての利点は、キャリア別に上記ＵＥにより受信されるＴＢの個数が減少され得るということである。また、上記Ｎ個のＴＰ各々が同一のキャリアで上記ＵＥに最大２個のＴＢまで送信し得る各ｅＮＢに対する独立的なＤＬ割り当ての利点は、３ＧＰＰ ＬＴＥ方法（３ＧＰＰ ＬＴＥ Ｒｅｌ−８方法のような）が各ＴＰに対して再使用され得るということである。しかしながら、少なくとも一部の３ＧＰＰ ＬＴＥ方法を使用する場合、上記ＵＥによりプロセシングされる必要があるＴＢの総個数は、キャリア周波数別に２より大きいことがある。
【００８３】
別途に、上記Ｎ個のＴＰ各々が同一のキャリアで上記ＵＥに単一ＴＢを送信し、上記Ｎ個のＴＰ各々が同一のキャリアで上記ＵＥに最大２個までのＴＢを送信することができる各ｅＮＢに対する独立的なＤＬ割り当てに対して、各ＴＰは、ＰＤＳＣＨの独立的なスケジューリングを遂行することができる。結果的に、上記Ｎ個のＴＰ各々は、上記Ｎ個のＴＰそれぞれのトランスポートブロックを伝達するＰＤＳＣＨに対するスケジューリング情報を含むダイナミック制御情報（Dynamic Control Information：ＤＣＩ）を独立的に構成し得る。最大Ｎ個のＤＣＩが上記対応する個数のＰＤＣＣＨ／ＥＰＤＣＣＨにより伝達される。上記ｅＮＢ間のＣｏＭＰ ＪＴで構成されるＵＥは、同時にキャリアのサブフレームでＤＬ割り当てに対する最大Ｎ個のＰＤＣＣＨ／ＥＰＤＣＣＨをモニターすることが必要となる。その上、上記ＤＬ割り当てに対する上記ＨＡＲＱプロセスも独立的であり得る。
【００８４】
ｅＮＢ間のＣｏＭＰ ＪＴ動作を可能にするＵＥ動作は、上記ネットワークからの上位階層シグナリングにより、一例で、ＲＲＣシグナリングを使用して開始されるか終了される。例えば、一実施形態で、ｅＮＢ間のＣｏＭＰ ＪＴは、新たな送信モード（今後、送信モード１１のような）の構成により開始され得る。同様に、上記ｅＮＢ間のＣｏＭＰ ＪＴ動作は、上記ＵＥに対して構成されている送信モードがこれ以上上記新たな送信モードでない場合、終了され得る。特定の実施形態で、上記ＵＥは、特定キャリアに対する複数の同時送信モードの構成を通して上記ｅＮＢ間のＣｏＭＰ ＪＴ動作の構成を認識することができる。言い換えれば、上記ＵＥがキャリアに対して１個を超過する送信モードで構成される場合、上記ＵＥは、ｅＮＢ間のＣｏＭＰ ＪＴで構成されている。これとは反対に、上記ＵＥがキャリアに対して１個を超過する送信モードで構成されない場合、上記ＵＥは、ｅＮＢ間のＣｏＭＰ ＪＴで構成されていない。
【００８５】
送信モードの個数は、上記ｅＮＢ間のＣｏＭＰ ＪＴ動作に関連するＴＰの個数及びこれに従う、上記ＵＥにより期待され得るＤＬ割り当ての最大個数を暗示するということが分かるべきである。ｅＮＢ間のＣｏＭＰ ＪＴ間に参加するＴＰの総個数Ｎは、ＵＥ複雑度に対する影響を制限するために限定される。一実施形態で、上記個数Ｎは、本詳細な説明で予め決定された個数（２又は３のような）であり得る。特定の実施形態で、サブフレームで上記ＵＥによりハンドリングされるトランスポートブロックの総個数が３ＧＰＰ ＬＴＥ Ｒｅｌ−８乃至３ＧＰＰ ＬＴＥ Ｒｅｌ−８１１でのように２である場合、Ｎ＝２である。特定の実施形態で、Ｎは、また上記ＵＥの能力（特定ＵＥは、Ｎ＝２をハンドリングすることができ、異なるＵＥは、Ｎ＝３をハンドリングすることができる）を基盤とすることができる。したがって、上記ＵＥによりハンドリングされる個数Ｎは、上記ネットワークに上記ＵＥ能力シグナリングの一部としてシグナルされ得る。
【００８６】
特定の実施形態で、複数個のセルＲＮＴＩ（Ｃ−ＲＮＴＩ）は、ｅＮＢ間のＣｏＭＰに対して構成される。一般的に、同一のＣ−ＲＮＴＩは、同一のセルに同時にＲＲＣ−接続されている二つのＵＥにより使用されることができない。上記補助ＣｏＭＰｅノードＢがスタンドアローン（stand-alone）ｅノードＢ（したがって、自身のＵＥをハンドリングするスタンドアローンセルとして動作することが可能である）である場合、ＣｏＭＰ ＵＥに対して、上記基本ＣｏＭＰｅノードＢにより割り当てられるＣ−ＲＮＴＩは、また他のＵＥに対する補助ＣｏＭＰｅノードＢによっても使用され得るように発生され得る。また、上記補助ＣｏＭＰｅノードＢが上記ＣｏＭＰ ＵＥをサービスしている上記基本補助ＣｏＭＰｅノードＢにより使用されるＣ−ＲＮＴＩを使用する場合、同一のＣ−ＲＮＴＩは、同一のキャリアで二つ又はそれ以上のＵＥにより使用され得る。しかしながら、上記同一のＣ−ＲＮＴＩが同一のキャリアで二つ又はそれ以上のＵＥにより使用される場合、Ｃ−ＲＮＴＩ衝突問題が発生することがある。
【００８７】
上記Ｃ−ＲＮＴＩ衝突問題を防止するために、上記ＵＥは、異なるＴＰに対して異なるＣ−ＲＮＴＩで構成され得る。したがって、ＴＰに対するＣ−ＲＮＴＩの構成に基づいて、上記ＵＥは、上記Ｃ−ＲＮＴＩを使用してＰＤＣＣＨ／ＥＰＤＣＣＨに対する上記ＵＥ−特定検索空間を決定することができる。例えば、上記ＵＥは、上記ＴＰに対するＰＤＣＣＨ／ＥＰＤＣＣＨ及びＰＤＳＣＨの上記サイクリックリダンダンシーチェック（cyclic redundancy check：ＣＲＣ）をスクランブリングするために上記ＰＤＣＣＨ／ＥＰＤＣＣＨに対する上記ＵＥ−特定検索空間を決定することができる。
【００８８】
補助ＣｏＭＰ ｅＮＢに対する上記Ｃ−ＲＮＴＩが上記基本ＣｏＭＰ ｅＮＢにより構成される場合（例えば、ｅＮＢ間のＣｏＭＰをセットアップするためのＲＲＣメッセージの一部として）、上記基本ＣｏＭＰ ｅＮＢは、上記補助ＣｏＭＰ ｅＮＢの選択のＣ−ＲＮＴＩを決定し、上記ＵＥと関連されるＣ−ＲＮＴＩを構成し得る。特定の実施形態で、上記ｅＮＢ間のＣｏＭＰをセットアップするプロセスの間、上記補助ＣｏＭＰ ｅＮＢは、Ｃ−ＲＮＴＩを選択し、上記選択されたＣ−ＲＮＴＩを上記基本ＣｏＭＰ ｅＮＢに転送（forward）することが（Ｘ２インターフェースを介してのように）必要となる。これは、上記基本ＣｏＭＰ ｅＮＢが上記ＣｏＭＰ ＵＥに対する上記ｅノードＢ間のＣｏＭＰ上位階層構成メッセージに上記新たなＣ−ＲＮＴＩを含めることを許可できる。
【００８９】
特定の実施形態で、ｅＮＢ間のＣｏＭＰをセットアップするプロセスの間、上記基本ＣｏＭＰ ｅＮＢは、上記基本ＣｏＭＰ ｅＮＢが上記ＣｏＭＰ ＵＥに対して使用する上記Ｃ−ＲＮＴＩ値を上記一つ又はそれ以上の補助ＣｏＭＰ ｅＮＢに転送することが（例えば、Ｘ２インターフェースを介して）必要となる。上記基本ＣｏＭＰ ｅＮＢから上記Ｃ−ＲＮＴＩを受信する場合、上記補助ＣｏＭＰ ｅＮＢは、上記Ｃ−ＲＮＴＩが上記補助ＣｏＭＰ ｅＮＢによりサービスされるＵＥのうち一つに対して既に使用されているかを検査又は確認することができる。上記転送されたＣ−ＲＮＴＩが既に使用されている場合、上記補助ＣｏＭＰ ｅＮＢは、上記ＣｏＭＰ ＵＥに対する新たなＣ−ＲＮＴＩを選択し得る。上記補助ＣｏＭＰ ｅＮＢは、その次に上記基本ＣｏＭＰ ｅＮＢが上記新たなＣ−ＲＮＴＩを上記ＣｏＭＰ ＵＥに対する上記ｅＮＢ間のＣｏＭＰ上位階層構成メッセージに含めることができるように、上記新たなＣ−ＲＮＴＩを上記基本ＣｏＭＰ ｅＮＢに転送する(例えば、Ｘ２インターフェースを介して）。これとは反対に、上記転送されたＣ−ＲＮＴＩが上記補助ＣｏＭＰ ｅＮＢにより使用されていない場合、上記補助ＣｏＭＰ ｅＮＢは、但し上記基本ＣｏＭＰ ｅＮＢに対して転送されたＣ−ＲＮＴＩの受信を認知できるだけである（例えば、Ｘ２インターフェースを介して）。上記認知（acknowledgement）を受信する場合、上記基本ＣｏＭＰ ｅＮＢは、より前に転送されたＣ−ＲＮＴＩが上記補助ＣｏＭＰ ｅＮＢにより使用されることを仮定する。
【００９０】
上記ＵＥに対する上記ｅノードＢ間のＣｏＭＰ構成メッセージは、上記ＵＥが上記補助ＣｏＭＰ ｅＮＢに対して仮定する上記Ｃ−ＲＮＴＩ値を含むということに留意すべきである。一般的に、多くの個数のＲＮＴＩがＣ−ＲＮＴＩに対して予約されているので、Ｃ−ＲＮＴＩの衝突は、まれである。したがって、補助ＣｏＭＰ ｅＮＢに対するＣ−ＲＮＴＩ値を上記ＵＥにシグナリングすることは、常に存在しないことがある。上記Ｃ−ＲＮＴＩのシグナリングが存在しない場合、上記ＣｏＭＰ ＵＥは、上記基本ＣｏＭＰｅノードＢに対するＣ−ＲＮＴＩと同一の、上記補助ＣｏＭＰｅノードＢに対するＣ−ＲＮＴＩを仮定する。
【００９１】
Ｃ−ＲＮＴＩが補助ＣｏＭＰ ｅＮＢにより選択される実施形態、又は上記ＣｏＭＰ ＵＥに対して使用されるＣ−ＲＮＴＩ値が基本ＣｏＭＰ ｅＮＢにより補助ＣｏＭＰ ｅＮＢに転送される実施形態を使用する場合、上記補助ＣｏＭＰ ｅＮＢによる上記選択されたＣ−ＲＮＴＩは、上記基本ＣｏＭＰ ｅＮＢに対して使用されるＣ−ＲＮＴＩと同一であり得るという可能性が存在する。このような可能性によって、各サブ集合がｅＮＢ間のＣｏＭＰに参加しているｅＮＢのうち一つに割り当てられるように上記ｅＮＢ間の追加的な協調が上記Ｃ−ＲＮＴＩ集合をオーバーラップされないサブ集合に分割（partition）するために使用されることができる。上記追加的な協調は、異なるＴＰに対して使用される上記Ｃ−ＲＮＴＩは異なることを保障し得る。
【００９２】
特定の実施形態で、ｅＮＢ間のＣｏＭＰ ＪＴに対して、物理リソースブロック（ｐhysical resource block：ＰＲＢ）は、一例で上記ＰＤＳＣＨに対するＰＲＢ割り当てがオーバーラップされないＰＲＢになるように割り当てられることができる。少なくとも一部の場合に対して、ＴＰにより割り当てられるＰＤＳＣＨに対するＰＲＢは、時間又は周波数でオーバーラップされることが許可されないことがある。したがって、上記周波数リソース分割又は上記時間リソース分割でのｅＮＢ間の協調は、上記ＰＤＳＣＨに対するＰＲＢが時間又は周波数でオーバーラップされないことを保障することが必要となり得る。
【００９３】
また、上記基本ＣｏＭＰ ｅＮＢには、上記ＵＥに対する上記基本ＣｏＭＰ ｅＮＢ自身の選好される時間リソース又は選好される周波数リソースを決定する権限が与えられる。この場合、上記基本ＣｏＭＰ ｅＮＢは、上記一つ又はそれ以上の補助ＣｏＭＰ ｅＮＢに（Ｘ２インターフェースを介してのように）上記一つ又はそれ以上のＣｏＭＰ ｅＮＢに上記一つ又はそれ以上の補助ＣｏＭＰ ｅＮＢが上記ＵＥと使用を避けなければならない上記時間−周波数リソース、又は等価的に、上記一つ又はそれ以上の補助ＣｏＭＰ ｅＮＢが上記ＵＥ（上記ＣｏＭＰ ＵＥのような）と使用しなければならない時間−周波数リソースを通知するメッセージを送信することができる。
【００９４】
例えば、ＰＲＢ＃１乃至ＰＲＢ＃５０でラベルされた５０個のＰＲＢが存在すると仮定する場合、上記基本ＣｏＭＰ ｅＮＢは、例えば、ＰＲＢ＃１乃至ＰＲＢ＃１０が上記ＣｏＭＰ ＵＥに対するスケジューリングの目的のために、上記補助ＣｏＭＰ ｅＮＢによって避けなければならないことを指示するメッセージを上記補助ＣｏＭＰ ｅＮＢに提供することができる。しかしながら、上記基本ＣｏＭＰ ｅＮＢから上記補助ＣｏＭＰ ｅＮＢへの同一のメッセージは、上記補助ＣｏＭＰ ｅＮＢが同時にサービスしている他のＵＥに対してＰＲＢ＃１乃至ＰＲＢ＃１０を使用できるようにするために、ＰＲＢ＃１乃至ＰＲＢ＃１０が上記ＣｏＭＰ ＵＥに対するスケジューリングの目的のために、上記補助ＣｏＭＰ ｅＮＢにより避けなければならないという指示のみで制限され得る。上記基本ＣｏＭＰ ｅＮＢから補助ＣｏＭＰ ｅＮＢへのメッセージのこのような指示制限は、例えば、上記他のＵＥが上記ＣｏＭＰ ＵＥから遠く離れてある場合、上記ＣｏＭＰ ＵＥに対して過度でかつ所望しない干渉を生成しなく、上記補助ＣｏＭＰ ｅＮＢにより他のＵＥに対するＰＲＢの再使用を考慮し得る。ＰＲＢの特定集合の制限を指示するメッセージは、全てのサブフレームに対して存在することもでき、又は上記全てのサブフレームのサブ集合のためにのみ存在することもできるということが分かるべきである。
【００９５】
以前に論議された通り、Ｎ個のＴＰがＵＥに対するｅＮＢ間のＣｏＭＰ ＪＴを遂行するために構成され得る。Ｎ＝２である場合では、ただ１個の補助ＣｏＭＰ ｅＮＢのみが存在する。この場合、上記単一補助ＣｏＭＰ ｅＮＢは、上記基本ＣｏＭＰ ｅＮＢの決定のみを考慮すべき必要がある。しかしながら、Ｎ＞２である場合には、二つ又はそれ以上の補助ＣｏＭＰ ｅＮＢが存在する。この場合、より高い平均受信信号電力を有するｅＮＢは、相対的により低い平均受信信号電力を有する他のｅＮＢに比べて、より高い平均受信信号電力を有するｅＮＢ自身の望ましい時間周波数リソースの指示に対する優先順位を獲得することができる。これによって、上記ｅＮＢｎ（ｎ＝１、…、Ｎ）は、ｎ番目の優先順位（ｎ番目に高い平均受信信号電力）を有するｅＮＢとして表されることができ、したがって、ｅＮＢ ｎは、ｅＮＢ１乃至ｅＮＢｎ−１の決定を考慮すべき必要がある。
【００９６】
上記ｅＮＢの優先順位順序は、上記ＵＥにより測定される上記ｅＮＢの上記基準信号受信電力（reference signal received power：ＲＳＲＰ）／チャンネル状態情報（channel state information：ＣＳＩ）−ＲＳＲＰに基づいて決定され得る。また上記平均受信信号強さ又はチャンネル品質に影響を与える他の信号測定メトリックが、ＲＳＲＰ／ＣＳＩ−ＲＳＲＰに追加的に又はＲＳＲＰ／ＣＳＩ−ＲＳＲＰの代わりに使用され得るということが分かるべきである。また、上記ＲＳＲＰ／ＣＳＩ−ＲＳＲＰ報告は、上記基本ＣｏＭＰ ｅＮＢ又は上記一つ又はそれ以上の補助ＣｏＭＰ ｅＮＢに送信され得る。上記ＲＳＲＰ／ＣＳＩ−ＲＳＲＰ測定報告が上記基本ＣｏＭＰ ｅＮＢに対してのみ送信される場合、上記基本ＣｏＭＰ ｅＮＢは、上記他の補助ＣｏＭＰ ｅＮＢに上記優先順位順序を知らせることができる。その上、上記ＲＳＲＰ／ＣＳＩ−ＲＳＲＰ測定報告が全てのｅＮＢに送信される場合、各ｅＮＢは、上記報告から上記各ｅＮＢ自身の優先順位を決定することができる。
【００９７】
上記リソースが時間及び周波数でオーバーラップされないように協調されるために、復調−基準信号（demodulation-reference signal：ＤＭ−ＲＳ）ポート協調は、必要とならないことがある。したがって、各ＣｏＭＰ ｅＮＢは、上記ＣｏＭＰ ＵＥに対して、上記ＤＭ−ＲＳポートを割り当てることに自由であり得る。
【００９８】
ＰＲＢ割り当ては、上記基本ＣｏＭＰ ｅＮＢが大部分の時間の間に、高いランクで送信することができる場合で有益であり得る。また、上記補助ＣｏＭＰ ｅＮＢからのオーバーラップされないリソースの追加的な割り当ては、上記ＵＥ処理量を増加させることができる。図１１は、本開示によるＰＤＳＣＨに対するオーバーラップされないＰＲＢ割り当ての一実施形態を示している。
【００９９】
以前に論議された通り、時間／周波数分割は、ＣｏＭＰ ｅＮＢの間で使用され得る。特定の実施形態で、ＣｏＭＰ ｅＮＢは、周波数−ドメイン−基盤リソース分割（partitioning）を使用することができる。また、セル間干渉協調（Inter-Cell Interference Coordination：ＩＣＩＣ）でも知られている、周波数−ドメイン−基盤リソース分割方法（ＬＴＥ Ｒｅｌ.８／９に定義されている周波数−ドメイン−基盤リソース分割方法などのような）は、セルのＰＲＢが一例で二つの集合に分割されるメカニズムを定義する。例えば、第１の集合のＰＲＢが一般的に上記セルのエッジでのＵＥよりもセル間干渉により非常に少なく影響を受けるために、上記第１の集合のＰＲＢは隣接セルで再使用され得、一般的に上記ｅＮＢに近いＵＥにスケジュールされ得る。追加的に、第２の集合のＰＲＢは、全てのセルで再使用されることはできないが、Ｒ＞１の再使用係数を有することができる。このようなＰＲＢは、一般的に上記減少されるセル間干渉により増加される信号対干渉及び雑音比（signal to inference plus noise ratio：ＳＩＮＲ）から利得を得るセル−エッジＵＥのために予約され得る。図１２は、本開示による周波数−ドメイン−基盤ＩＣＩＣリソース割り当ての一実施形態を示している。特に、図１２は、上記セル−エッジに対するＲ＝３を使用するＩＣＩＣ分割を示している。
【０１００】
したがって、特定の実施形態で、上記ＣｏＭＰ ｅＮＢ間のＰＲＢ分割は、隣接ｅＮＢ間の上記Ｘ２インターフェースを介して交換され得る相対的狭帯域送信電力（relative narrow band transmit power：ＲＮＴＰ）指示子により定義され得る。上記ＲＮＴＰ指示子は、ＲＢに対応する各ビットを有するビットマップであり得、上記セルが上記ＲＢの送信電力を下位制限未満で維持するように計画中であるか否かを指示する。上記ＲＮＴＰを受信する場合、ＣｏＭＰ ｅＮＢは、上記他のＣｏＭＰ ｅＮＢにより使用されると指示されるＲＢで上記ターゲットＵＥに対するデータをスケジュールすることができない。
【０１０１】
上記送信電力上位制限の値及び上記指示子により有効な周期は、構成可能であり、上記ＴＰに対する期待送信電力及び上記ｅＮＢ間のＣｏＭＰ構成の推定された区間に関連する上記関連ｅＮＢ間のＣｏＭＰ ＪＴパラメータに基づいて上記基本ＣｏＭＰ ｅＮＢにより設定され得る。
【０１０２】
特定の実施形態で、周波数−ドメイン−基盤リソース分割を使用するＣｏＭＰ ｅＮＢに追加的に又は周波数−ドメイン−基盤リソース分割を使用するＣｏＭＰ ｅＮＢに対する代案として、ＣｏＭＰ ｅＮＢは時間−ドメイン−基盤リソース分割を使用することができる。向上したＩＣＩＣ（enhanced ICIC：ｅＩＣＩＣ）とも知られている上記ＣｏＭＰ ｅＮＢ間の時間−ドメイン分割（ＬＴＥ Ｒｅｌ−１０時間−ドメイン−基盤リソース分割のような）は、サブフレームを２個の集合に分割することができる。例えば、第１の集合のサブフレームは、全てのセルにより使用されることができ、これに対して第２の集合のサブフレームは、ただ特定セル（スモールセルのような）からのデータ送信のために予約され得る。このような予約されたサブフレームは、ＡＢＳ（Almost Blank Subframe）でデータ送信をスケジュールしないセルが一般的にマクロセルであり、依然として特定制御チャンネル及び基準信号を送信してＵＥと（Ｒｅｌ８／９ＵＥのような）のバックワード互換性（backwards compatibility）を保障するができるので、ＡＢＳと称される。上記スモールセルは、上記マクロセル干渉が大部分除去されるために、上記スモールセルの処理量を改善させるために、低いＳＩＮＲを有する（一般的に上記セル−エッジで）ＵＥをスケジュールするために、上記ＡＢＳを使用することができる。上記パターンの周期性は、上記同期アップリンクＨＡＲＱ動作に合せて調整されるように設計されることができる。例えば、ＦＤＤネットワークに対して、上記周期性は、４０ｍｓの倍数である。図１３は、本開示による時間−ドメイン−基盤ｅＩＣＩＣリソース割り当ての一実施形態を示している。特に、図１３は、毎フレームに対して２個のＡＢＳを有するｅＩＣＩＣ ＡＢＳパターンを示している。
【０１０３】
上記ＡＢＳ構成は、ＡＢＳパターンメッセージを使用して上記Ｘ２インターフェースを介してｅＮＢ間で交換され得る。上記周波数ドメインＩＣＩＣ接近方式と類似に、上記ＡＢＳパターンは、セルが上記送信電力を上位制限未満で維持するように計画中であるか否かを指示するビットマップであり得る。しかしながら、上記周波数ドメインＩＣＩＣ接近方式とは異なり、上記ＡＢＳパターンビットマップは、サブフレーム単位で送信電力を上位制限以下で維持されるように計画中であるか否かを指示することができる。したがって、上記ＡＢＳパターンを受信する場合、ＣｏＭＰ ｅＮＢは、上記送信又は受信ＣｏＭＰ ｅＮＢが上記ＡＢＳサブフレームで送信できるか否かに基づいて、上記ターゲットＵＥに対するデータを他のＣｏＭＰ ｅＮＢにより非ＡＢＳサブフレーム又はＡＢＳサブフレームで各々指示されるサブフレームでスケジューリングすることを制限し得る。
【０１０４】
上記送信電力上位制限の値及び上記ＡＢＳパターンの周期は、構成可能であり、上記ＴＰに対する期待送信電力及び上記ｅＮＢ間のＣｏＭＰ構成の推定された区間に関連する上記関連ｅＮＢ間のＣｏＭＰ ＪＴパラメータに基づいて上記基本ＣｏＭＰ ｅＮＢにより設定され得る。
【０１０５】
特定の実施形態で、ｅＮＢ間のＣｏＭＰ ＪＴに対して、物理リソースブロック（resource block：ＰＲＢ）は、一例で上記ＰＤＳＣＨに対するＰＲＢ割り当てが独立的なＰＲＢ割り当てになるように割り当てられる。少なくとも一部の場合で、上記ＴＰにより割り当てられるＰＤＳＣＨに対するＰＲＢは、独立的に割り当てられることができ、時間及び周波数でオーバーラップされることが許可され得る（空間多重化を使用するように）。上記オーバーラップは部分的であり、各ＴＰの時間／周波数リソースの側面で上記スケジューリング制限を緩和させる。充分のチャンネル推定品質を保障するために、ＰＤＳＣＨのための上記オーバーラップされるリソースブロックに対して各ＴＰにより使用されるＤＭ−ＲＳポートは、同一のポートインデックスを有することができない（したがって、二つの異なるＴＰに対するＤＭ−ＲＳポートは、直交的である）。特定の実施形態で、独立的なＰＲＢ割り当ての下で、ＰＤＳＣＨに対するＤＭ−ＲＳポート割り当ては、上記ＣｏＭＰ ｅＮＢ間で予め協調され得る。したがって、各ＰＲＢ割り当ては、例えば、上記基本ＣｏＭＰ ｅＮＢが劣悪なチャンネル条件により、大部分の時間の間に低いランクを使用して送信されることのみが可能な場合（上記ＵＥが受信可能なランクよりもより低いランクのような）、有益であり得る。また、上記補助ＣｏＭＰ ｅＮＢからのオーバーラップされるリソースの追加的な割り当てを使用して、上記ＵＥ処理量が増加され得る。
【０１０６】
ＰＤＳＣＨに対するＤＭ−ＲＳポート割り当て協調の一部例題を提供するために、Ｎ＝２である場合（ＴＰの個数が２と同一であるような）を仮定する。最初の例題で、ＤＭ−ＲＳポート７（Ｐ７）は、第１のｅＮＢ（ｅＮＢ１のような）に対して割り当てられることができ、ＤＭ−ＲＳポート８（Ｐ８）は、第２のｅＮＢ（ｅＮＢ２のような）に対して割り当てられることができる。この例題で、ただ１個の送信階層が各ＴＰから送信され得る。したがって、ＰＲＢ別送信階層の最大個数は、２である。また、割り当てられる全てのＰＲＢペアに対して、上記ＵＥにより仮定されるＤＭ−ＲＳオーバーヘッドは、１２個のリソースエレメント（resource element：ＲＥ）であり得る。追加的に、上記ＰＤＳＣＨリソースエレメント別エネルギー（energy per resource element：ＥＰＲＥ）対ＤＭ−ＲＳエネルギー比は、上記ＵＥにより常に０ｄＢとなると仮定され得る。上記ＤＭ−ＲＳポートは、上記ＤＣＩで指示され得る（ここから追加的に論議されるＤＣＩフォーマット２Ｂに対して使用されることと類似の）。各ＤＣＩは、上記トランスポートブロックのうち一つがデセイブル（disable）され得るということを指示し、上記新規データ指示子（new data indicator：ＮＤＩ）は、下記表４に示したように上記ＤＭ−ＲＳポートを指示する。
【０１０７】
＜表４＞：単一−アンテナポート送信（１個のトランスポートブロックがデセイブルされた）に対するアンテナポート
【０１０８】
【表４】
0006536899.tif 000010
【０１０９】
ＤＣＩフォーマット２Ｂの再使用の代りに、新たなＤＣＩフォーマット（ＤＣＩフォーマット２Ｂ’と称する）が修正でき、したがって上記第２のトランスポートブロックに対する上記変調及びコーディング方式（ＭＣＳ）、ＮＤＩ及びＲＶ情報ビット（総８ビットに対する）は、下記表５に示されているように上記ＤＭ−ＲＳポートを指示する１個のビットに代替され得る。
【０１１０】
＜表５＞：単一−アンテナポート送信に対するアンテナポート
【０１１１】
【表５】
0006536899.tif 000011
【０１１２】
上記ＴＰに対するＰＤＳＣＨを受信する上記ＤＭ−ＲＳは、また準固定的に上記ＵＥにシグナルされ得る。例えば、上位階層構成は、上記ＵＥにＥＰＤＣＣＨ集合に含まれているＥＰＤＣＣＨからスケジュールされる上記ＰＤＳＣＨは、常にＤＭ−ＲＳ Ｐ８を使用することを指示することができる。これは、上記特定のＥＰＤＣＣＨ及びその対応するＰＤＳＣＨが常にＤＭ−ＲＳ Ｐ８が割り当てられた補助ＣｏＭＰ ｅＮＢから送信されるからである。他の例で、上記ＴＰに対するＰＤＳＣＨを受信するＤＭ−ＲＳポートは、ＣＳＩ−ＲＳリソースと関連されるように構成される上位階層であり得る。上記準共存ＣＳＩ−ＲＳの指示を通して、上記ＰＤＳＣＨを受信する上記ＤＭ−ＲＳポートは、上記指示される準共存ＣＳＩ−ＲＳと関連されるＤＭ−ＲＳポートであり得る。
【０１１３】
図１４は、本開示によるＰＤＳＣＨに対する少なくとも部分的にオーバーラップされるＰＲＢ割り当ての一実施形態を示している。この例題で、ＤＭ−ＲＳ Ｐ７／８は、第１のｅＮＢ（ｅＮＢ１のような）に対して割り当てられることができ、ＤＭ−ＲＳ Ｐ９／１０は、第２のｅＮＢ（ｅＮＢ２のような）に対して割り当てられることができる。この例題で、各ＴＰから送信される送信階層の最大個数は、１、２、又は４であり得、異なるＴＰに対しては、異なることができる。割り当てられる全てのＰＲＢペアに対して、上記ＵＥにより仮定され得るＤＭ−ＲＳオーバーヘッドは、２４個のＲＥであり得る。上記ＰＤＳＣＨ ＥＰＲＥ対ＤＭ−ＲＳ ＥＰＲＥ比は、上記ＵＥにより常に−３ｄＢとなると仮定され得る。また、上記ＤＭ−ＲＳポートは、ＤＣＩ（ＤＣＩフォーマットＸのような）で指示され得る。したがって、上記ＤＣＩのソース（ｅＮＢ１又はｅＮＢ２）に基づいて、上記一つ又はそれ以上のアンテナポート、スクランブリング識別子及び指示される階層の個数に対するＤＣＩビットは、相異なるように解析され得る。下記の表６は、上記一つ又はそれ以上のアンテナポート、スクランブリング識別子及び指示される階層の個数に対する上記ＤＣＩビットがｅＮＢ１（上記基本ＣｏＭＰ ｅＮＢのような）に対してどのように解析されるかを示しており、これに対して下記の表７は、上記一つ又はそれ以上のアンテナポート、スクランブリング識別子及び指示される階層の個数に対する上記ＤＣＩビットがｅＮＢ２（補助ＣｏＭＰ ｅＮＢのような）に対してどのように解析されるかを示している。表６及び表７の裏面の原則は、ｅＮＢに対する上記ＤＭ−ＲＳポートを同一のコード分割多重化（code division multiplexing：ＣＤＭ）グループにマッピングすることであり得る。
【０１１４】
＜表６＞：ｅＮＢ１（例えば、上記基本ＣｏＭＰ ｅＮＢ）に対するアンテナポート、スクランブリング識別子及び階層の個数識別
【０１１５】
【表６】
0006536899.tif 000012
【０１１６】
＜表７＞：ｅＮＢ２（例えば、補助ＣｏＭＰ ｅＮＢ）に対するアンテナポート、スクランブリング識別子及び階層の個数識別
【０１１７】
【表７】
0006536899.tif 000013
【０１１８】
上記に示されている表６及び表７に対して、二つのシグナリング実施形態が考慮され得る。より高いランク（ランク＞２のような）に対してだけでなく、上記二つの実施形態に対して、上記全てのＤＭ−ＲＳは、１２個のＲＥの一個のＣＤＭ集合内で送信され得る。これは、上記二つのｅＮＢのＤＭ−ＲＳが別途のＤＣＭ集合から直交的に送信されるということを保障できる。第１の実施形態で、ランク２送信を使用して、ｎＳＣＩＤは、ランク−２受信に対する改善された信頼性を考慮して０に固定され得る。しかしながら、第２の実施形態で、上記ｎＳＣＩＤは、ランク２送信に対してでもＭＵ−ＭＩＭＯスケジューリングを使用する改善された柔軟性を考慮して０又は１で構成され得る。
【０１１９】
＜表６＞又は＜表７＞が適用可能であるかは、上記スケジューリングＤＣＩがどこで検出されるか又は上記物理ダウンリンク制御チャンネルのタイプに基づく。例えば、第１の実施形態で、上記スケジューリングＤＣＩがＰＤＣＣＨで検出される場合、上記ＵＥは、表６が適用可能であると仮定する。これとは異なり、上記スケジューリングＤＣＩがＥＰＤＣＣＨで検出される場合、上記ＵＥは、表７が適用可能であると仮定する。第２の実施形態で、上記スケジューリングＤＣＩが第１のＥＰＤＣＣＨ集合で検出される場合、上記ＵＥは、表６が適用可能であると仮定する。これとは異なり、上記スケジューリングＤＣＩが第２のＥＰＤＣＣＨで検出される場合、上記ＵＥは、表７が適用可能であると仮定する。少なくとも上記第２の実施形態で、２個のｅＮＢは、上記２個のｅＮＢの各集合に基づいて上記２個のｅＮＢのＰＤＳＣＨを独立的にスケジュールすることができる。例えば、上記２個のｅＮＢのうち、第１のｅＮＢは、上記第１のｅＰＤＣＣＨ集合を使用することができ、上記２個のｅＮＢのうち、第２のｅＮＢは、上記第２のｅＰＤＣＣＨ集合を使用することができる。第３実施形態で、ＴＰに対する上記ＰＤＳＣＨを受信するＤＭ−ＲＳポートの集合（又は表６又は表７を仮定するかを決定する）は、ＣＳＩ−ＲＳリソースと関連されるように構成される上位階層であり得る。上記準共存ＣＳＩ−ＲＳの指示を通して、上記ＰＤＳＣＨを受信する上記ＤＭ−ＲＳポートの集合は、上記指示される準共存ＣＳＩ−ＲＳと関連されるＤＭ−ＲＳポートであり得る。
【０１２０】
少なくともＤＭ−ＲＳ ＲＥオーバーヘッド及び上記ＰＤＳＣＨ−ＥＰＲＥ対ＤＭ−ＲＳ−ＥＰＲＥ比に関して、上記ＣｏＭＰ ｅＮＢの各々が他のＣｏＭＰ ｅＮＢスケジューリング決定を追跡不可能であると仮定される。したがって、各ＣｏＭＰ ｅＮＢが常に他のＣｏＭＰ ｅＮＢに割り当てられたＤＭ−ＲＳポートがＤＭ−ＲＳ送信に対して占有され、したがって、上記各ＣｏＭＰ ｅＮＢのＰＤＳＣＨデータを上記他のＣｏＭＰ ｅＮＢのＲＥにマッピングすることを避けられると仮定することが有益であり得る。これは、上記ＵＥが上記ＰＤＳＣＨを受信する場合、上記ＵＥがいずれのＰＤＳＣＨも全ての可能なＤＭ−ＲＳ位置にマッピングできないことを仮定することを意味することができる。
【０１２１】
また、例えば、ＤＭ−ＲＳ Ｐ７乃至ＤＭ−ＲＳ Ｐ１０が上記ＣｏＭＰ ｅＮＢにより割り当てられる場合、上記ＰＤＳＣＨに対する総ＤＭ−ＲＳ ＲＥオーバーヘッドが上記ＵＥにより２４個のＲＥであると仮定されるので、上記ＵＥがＰＤＳＣＨレートマッチング及び上記ＰＤＳＣＨ−ＥＰＲＥ対ＤＭ−ＲＳ−ＥＰＲＥ比に対して正確な仮定をすることが重要である。追加的に、上記ＵＥは、また上記特定のＰＲＢに対して割り当てられている実際ＰＤＳＣＨ ＤＭ−ＲＳポートに関係なく、上記ＰＤＳＣＨがＤＭ−ＲＳに対してこのような２４個のＲＥの近くにレートマッチングされることを仮定することができる。上記ＰＤＳＣＨ−ＥＰＲＥ対ＤＭ−ＲＳ−ＥＰＲＥ比（以下、上記“電力比”）は、上記送信階層の実際個数又は上記特定ＰＲＢに割り当てられているランクに関係なく、上記ＵＥにより−３ｄＢとなると仮定され得る。
【０１２２】
上記ＣｏＭＰ ｅＮＢ間の協調を通して、上記ｅＮＢはサブフレームで特定ＣｏＭＰ ｅＮＢにより割り当てられるＤＭ−ＲＳポートを予め決定することができる。したがって、上位階層シグナリング（例えば、上記基本ＣｏＭＰ ｅＮＢによる）は、上記ＵＥに上記ＰＤＳＣＨ ＤＭ−ＲＳオーバーヘッド及び上記電力比に関する適合した仮定を知らせるためにプロビジョン（provision）され得る。例えば、上位階層シグナリング（ＲＲＣシグナリングのような）は、１２個又は２４個のＲＥを上記ＰＤＳＣＨ ＤＭ−ＲＳオーバーヘッド仮定として指示し、０又は−３ｄＢを上記電力比仮定として指示し得る。上記ＤＭ−ＲＳオーバーヘッド及び電力比に対するシグナリングは、ジョイント（joint）するように遂行でき、したがって単一の、シグナルされる値は、ＤＭ−ＲＳオーバーヘッド及び電力比の両方をジョイントするように指示され得る。一般的に、１２個のＲＥ又は２４個のＲＥのＤＭ−ＲＳ ＲＥオーバーヘッドは、各々０ｄＢ及び−３ｄＢの電力比と関連され得る。
【０１２３】
時間／周波数分割の交換は、上記ＣｏＭＰ ｅＮＢが上記ＣｏＭＰ ｅＮＢの送信を調整するために使用され得る。例えば、二つのＣｏＭＰ ｅＮＢが上記ターゲットＵＥに対して各々１個の空間階層を送信中である場合、同一のダウンリンクリソースが二つのｅＮＢによりスケジュールされることが有益であり得る。上記ＴＰ間のタイトなスケジューリング協調が仮定され得るｅＮＢ内のＣｏＭＰとは異なり、上記ｅＮＢ間のＣｏＭＰの場合では、上記バックホールのレート及びレイテンシー制限によって、広範囲なスケジューリング協調が実現不可能であることがある。したがって、充分のレベルの協調が、オーバーラップされないＰＲＢ割り当ての下で、上述したように上記交換される周波数又は時間リソース分割指示子を使用することによって獲得され得る。しかしながら、少なくともこの実施形態を使用して、上記ＣｏＭＰ ｅＮＢは、上記ターゲットＵＥに対して、上記ＣｏＭＰ ｅＮＢによりスケジュールされるリソースを、上記ＣｏＭＰ ｅＮＢの隣接ｅＮＢによる使用のために指示される上記ＲＢ又はサブフレームに合せて調整することができる。このような接近方式が黙示的（implicit）なレベルの協調を達成する間、上記スケジューラは独立的に維持され、したがって上記スケジューラの隣接ｅＮＢのリソース割り当ての実際的な認知を必要としないようになる。
【０１２４】
特定の実施形態で、送信の調整の獲得は、ｅＮＢ間ＣｏＭＰ協調メッセージと共に含まれるＩＣＩＣ又はｅＩＣＩＣ指示子を上記ＣｏＭＰ ｅＮＢに送信することを含み得る。ＩＣＩＣ又はｅＩＣＩＣ指示子は、またターゲットＵＥ又はその時間又は周波数情報が関連のあるターゲットＵＥの集合を指示することができる。特定の実施形態で、上記ＣｏＭＰ ｅＮＢは、上記全てのＵＥに対するＩＣＩＣ又はｅＩＣＩＣ分割を具現できる。これとは反対に、特定の実施形態で、上記ＣｏＭＰ ｅＮＢは、上記ｅＮＢ間のＣｏＭＰ動作によってサービスされている上記ＣｏＭＰ ｅＮＢのＵＥに対してのみ上記ＩＣＩＣ又はｅＩＣＩＣ分割を具現し得る。
【０１２５】
例えば、第１のＣｏＭＰ ｅＮＢ（ＣｏＭＰ ｅＮＢ１のような）は、ＲＮＴＰを介して第２のＣｏＭＰ ｅＮＢ（ＣｏＭＰ ｅＮＢ２のような）に、ＣｏＭＰ ｅＮＢ１とＣｏＭＰ ｅＮＢ２からのｅＮＢ間ＣｏＭＰ動作によりサービスされている第１のＵＥ（ＵＥ１のような）に対する上記第１のＣｏＭＰ ｅＮＢのスケジューリング時、次のいくつのサブフレームの間、ＲＢ１乃至ＲＢ２０が使用されることを指示し得る。これに対する応答で、ＣｏＭＰ ｅＮＢ２は、上記指示されないＲＢでＵＥ１のスケジューリングを考慮する前に、まずＲＢ１乃至ＲＢ２０で上記ＵＥ１をスケジュールすることを選択する。
【０１２６】
他の例題で、ＣｏＭＰ ｅＮＢ１は、ＡＢＳパターンを介してＣｏＭＰ ｅＮＢ２に、全ての他のサブフレームが次の４０ｍｓ間にＡＢＳとなることを指示し得る。これに対する応答で、ＣｏＭＰ ｅＮＢ２は、上記非ＡＢＳサブフレームで上記ターゲットとなるユーザに対してリソースをスケジュールし、残りのサブフレームで非ｅＮＢ間ＣｏＭＰユーザに対するリソースをスケジュールすることを選択し得る。これは、上記ＣｏＭＰ ｅＮＢが上記スケジューリング決定が上記スケジューリング情報を直接的に交換しなくても調整される可能性を改善させることを許可する。
【０１２７】
上記オーバーラップされないＰＲＢ割り当てに対して導入された分割と類似に、追加的なＩＣＩＣ及びｅＩＣＩＣ技術が、ＣｏＭＰ ｅＮＢの各々が異なるＵＥに送信する場合、上記ＣｏＭＰ ｅＮＢ間のリソース割り当ての部分的なオーバーラップにより発生し得る潜在的な干渉を緩和させるために導入され得る。しかしながら、時間又は周波数リソースのハード（hard）又は厳格な分割を使用するオーバーラップされないＰＲＢ割り当てとは異なり、“ソフト再使用（soft reuse）”戦略が使用されることができる。この場合、同一のＲＮＴＰ又はＡＢＳパターンが上記Ｘ２インターフェースを介して交換され得るが、上記ＣｏＭＰ ｅＮＢは、選択基盤で上記ＣｏＭＰ ｅＮＢのＲＮＴＰ又はＡＢＳパターンを使用することができる。
【０１２８】
例えば、第１のＣｏＭＰ ｅＮＢ（ＣｏＭＰ ｅＮＢ１のような）は、ＲＮＴＰを介して第２のＣｏＭＰ ｅＮＢ（ＣｏＭＰ ｅＮＢ２のような）に、次のいくつのサブフレーム間、ＲＢ１乃至ＲＢ２０が使用されることを指示し得る。これに対する応答で、ＣｏＭＰ ｅＮＢ２は、上記ＣｏＭＰ ｅＮＢ２が上記残りの保護されないＲＢでスケジューリング機会を使い尽くしたので、上記ＣｏＭＰ ｅＮＢ２のＲＢで上記ターゲットとなるユーザに対するＲＢのみを選択することができる。
【０１２９】
他の例題で、ＣｏＭＰ ｅＮＢ１は、ＡＢＳパターンを介してＣｏＭＰ ｅＮＢ２に、全ての他のサブフレームが次の４０ｍｓ間にＡＢＳとなることを指示し得る。これに対する応答で、ＣｏＭＰ ｅＮＢ２は、上記ＣｏＭＰ ｅＮＢ２のＡＢＳサブフレームで上記ターゲットとなるユーザにリソースをスケジュールすることを選択することができるが、上記非ＡＢＳサブフレームに対する送信電力よりは、低い送信電力で上記スケジュールすることを選択することができる。したがって、上記ＣｏＭＰ ｅＮＢ２は、上記ＣｏＭＰ ｅＮＢ２のサブフレームに対してｅＮＢ間の干渉を全体的に除去することでなく、減少させることができる。
【０１３０】
上記以前に論議された“ソフト再使用”動作具現に対する代案は、上記ＣｏＭＰ ｅＮＢがＩＣＩＣ重み付け係数（weighting factor）０≦β≦１を使用することである。β＝０である場合、上記ＣｏＭＰ ｅＮＢは、他のｅＮＢから受信される上記ＲＮＴＰ又はＡＢＳパターンを完全に無視し、独立的なリソース割り当てを具現し得る。β＝１である場合、上記ＣｏＭＰ ｅＮＢは、厳格な方式で他のｅＮＢから受信される上記ＲＮＴＰ又はＡＢＳパターンを使用することができ、オーバーラップされないＰＲＢ割り当てを具現し得る。０＜β＜１に対して、上記ＣｏＭＰ ｅＮＢは、上記ＣｏＭＰ ｅＮＢ自身のスケジューリングメトリックを使用して上記他のｅＮＢからの提案された分割に対する均衡を取ることができる。上記βの値は、上記ネットワークでの干渉及び混雑条件の調整に対する柔軟性を付与しながら、各ｅＮＢにより独立的に構成及び調整されるか、又は上記ネットワークにより設定され得る。
【０１３１】
オーバーラップされないＰＲＢ割り当てと少なくとも部分的にオーバーラップされるＰＲＢ割り当ての両方は、異なるチャンネル条件に対する利点を提供し、特定の実施形態で、また上位階層シグナリング（ＲＲＣのような）がオーバーラップされないＰＲＢ割り当てと少なくとも部分的にオーバーラップされるＰＲＢ割り当てのうち少なくとも一つ又はオーバーラップされないＰＲＢ割り当てと少なくとも部分的にオーバーラップされるＰＲＢ割り当ての両方を使用してイネイブル（enable）されるＣｏＭＰ ｅＮＢを構成するためにプロビジョンされ得る場合に有益であり得る。例えば、オーバーラップされないＰＲＢ割り当て又は少なくとも部分的にオーバーラップされるＰＲＢ割り当てを使用して、ＩＣＩＣ又はｅＩＣＩＣ技術が上記ｅＮＢ間ＣｏＭＰ動作に追加して上記ネットワークで具現され得る場合、上記周波数又は時間−ドメイン基盤分割情報は、黙示的に使用されることができ、ＣｏＭＰ ｅＮＢ間で交換され得る。これは、上記‘ロード指示（Load Indication）’及び‘リソース状態報告開始（Resource Status Reporting Initiation）’Ｘ２インターフェース手順を使用して遂行され得る。これとは異なり、上記ネットワークで構成されているＩＣＩＣ又はｅＩＣＩＣとは独立的に、上記ＲＮＴＰ、又は上記ＡＢＳパターンは、ｅＮＢ間ＣｏＭＰ開始又は構成に特定の別途のＸ２協調メッセージを通して明示的に（explicitly）指示され交換され得る。
【０１３２】
特定の実施形態で、ＴＰにより送信される各ＴＢは、一つ又はそれ以上の送信階層に対応する。各ＴＰ又はランクに対する送信階層の個数は相異であり得る。また、上記ＴＰによりＵＥに割り当てられる送信階層の最大個数は、上記ＴＰが使用可能な送信階層の最大個数と同一であるか又はその未満であり得る。したがって、リソースブロックに対してＵＥが受信可能な送信階層の総個数は、上記ＵＥ能力を超過することができない。したがって、上記ｅＮＢ間ＣｏＭＰ ＪＴに関連する全てのＴＰに対して、上記ＵＥ能力に対して知らされることが必須であり得る。
【０１３３】
特定の実施形態で、ＴＰがオーバーラップされないリソースブロック（オーバーラップされないＰＲＢ割り当ての使用のような）でＰＤＳＣＨを送信する時、上記基本ＣｏＭＰ ｅＮＢは一例として、上記Ｘ２インターフェースを介して上記一つ又はそれ以上の補助ＣｏＭＰ ｅＮＢに、上記ＵＥに割り当てられる送信階層の最大個数を知らせることができる。特定の実施形態で、ＴＰが同一の集合のリソースブロック（少なくとも部分的にオーバーラップされるＰＲＢ割り当ての使用のような）でＰＤＳＣＨを送信する時、上記リソースブロックに対する上記ＴＰによる送信階層の和は、上記ＵＥ能力を超過できない。上記リソースブロックに対する上記ＴＰによる送信階層の和が上記ＵＥ能力を超過しないことを保障するために、各ＴＰへの送信が許可される送信階層の最大個数は、上記ＴＰ間に予め協調され得る。上記ＴＰ間の協調は、ＴＰを連結するＸ２インターフェースを介して又は複数個のＴＰに接続している中央エンティティ（entity）を介したメッセージング（messaging）により遂行され得る。
【０１３４】
上記基本ＣｏＭＰ ｅＮＢが最大の受信電力を有するＴＰと仮定し、上記ＵＥが上記最大の受信電力を有する上記基本ＣｏＭＰ ｅＮＢからのランク２割り当てを使用すると仮定する場合、上記基本ＣｏＭＰ ｅＮＢが上記基本ＣｏＭＰ ｅＮＢ自身の送信に対して、上記送信階層の最大個数決定に対する優先順位を有することを許可することが有益であり得る。オーバーラップされないＰＲＢ割り当てに対する上記時間／周波数リソース割り当て優先順位ハンドリングと類似であるように、二つ以上のｅＮＢが存在する場合（Ｎ＞２のように）、より高い受信信号電力を有するｅＮＢは、相対的により低い受信信号電力を有する他のｅＮＢよりも自身の選好される送信階層の個数を指示する優先順位を有することができる。したがって、ｅＮＢｎ（ここで、ｎ＝１、…、Ｎ）をｎ番目優先順位を有するｅＮＢと示すことによって、ｅＮＢｎは、ｅＮＢ１乃至ｅＮＢｎ−１の決定を考慮することができる。上記ｅＮＢの優先順位順序は、上記ｅＮＢの上記ＵＥにより測定されるＲＳＲＰ／ＣＳＩ−ＲＳＲＰに基づいて決定され得る。上記受信信号強さ又はチャンネル品質を反映する他の信号測定メトリックは、排除されることができない。特定の実施形態で、上記ＲＳＲＰ／ＣＳＩ−ＲＳＲＰ測定報告が上記基本ＣｏＭＰ ｅＮＢのみに送信される場合、上記基本ＣｏＭＰ ｅＮＢは、他の補助ＣｏＭＰ ｅＮＢに上記優先順位順序を知らせることができる。特定の実施形態で、上記ＲＳＲＰ／ＣＳＩ−ＲＳＲＰ測定報告が全てのｅＮＢに送信される場合、各ｅＮＢは、上記報告から上記各ｅＮＢ自身の優先順位を決定することができる。
【０１３５】
二つのＴＢがイネイブルされる場合、例えば、ＬＴＥ Ｒｅｌ−８−１１で、一般的に第１のＴＢ（ＴＢ１のような）は、コードワード（codeword：ＣＷ）０にマッピングされ、第２のＴＢ（ＴＢ２のような）は、ＣＷ１にマッピングされ得る。しかしながら、３ＧＰＰ ＴＳ３６.２１２ Ｖ１１.１.０（２０１２−１２）セクション５.３.３.１.５に開示されているようなコードワードマッピングに対するトランスポートブロックを交換するためには、ＤＣＩフォーマット２のコードワード交換フラッグ（codeword swap flag）に対するトランスポートブロックを使用することも可能である。この場合、ＴＢ１はデセイブルされ、ＴＢ２はイネイブルされ、ＴＢは、またＣＷ０にマッピングされ得る。上記コードワードインデックス（０又は１のような）（上記セルｉｄ及びＣ−ＲＮＴＩ以外の）は、上記トランスポートブロックビットをスクランブリングするために使用されるスクランブリングシーケンス（scrambling sequencｅ）を開始するために使用され得る。
【０１３６】
ｅＮＢ間ＣｏＭＰに対して、特定の実施形態で、上記各ＣｏＭＰ ｅＮＢからのＴＢはＣＷインデックスにマッピングされ得る。例えば、ＣｏＭＰ ｅＮＢからのＴＢは、ＴＢ−対−ＣＷマッピングが各ＰＤＳＣＨに対してＲｅｌ−８に開示されているように遂行されると仮定することによって、ＣＷインデックスにマッピングされ得る。他の例題で、各ＣｏＭＰ ｅＮＢは、上記ＵＥにただ１個のＴＢのみを送信することができる。また、Ｎ＝２（二つのＴＢが存在し、そのうち一個は上記基本ＣｏＭＰ ｅＮＢ（ＴＢ１）からであり、残りの一個は、上記補助ＣｏＭＰ ｅＮＢ（ＴＢ２）であるように）を仮定する場合、上記各ＰＤＳＣＨに対するＴＢは、下記表８に示されているようにＣＷ０にマッピングされ得る。もう一つの例題で、各ＣｏＭＰ ｅＮＢは、最大２個のＴＢを送信することができ、したがって、上記ＴＢ−対−ＣＷマッピングは、表９に示されているように具現され得る。
【０１３７】
＜表８＞：各ｅＮＢに対する独立的なＴＢ−対−ＣＷマッピング。各ｅＮＢに対する１個のＴＢ。
【０１３８】
【表８】
0006536899.tif 000014
【０１３９】
＜表９＞：各ｅＮＢに対する独立的なＴＢ−対−ＣＷマッピング。各ｅＮＢに対して最大２個のＴＢ。
【０１４０】
【表９】
0006536899.tif 000015
【０１４１】
上記コードワードインデックス（ｑ）が与えられる場合、上記ＰＤＳＣＨは、次の３ＧＰＰ ＴＳ２６.２１１ Ｖ１１.１.０（２０１２−１２）のセクション６.３.１のように初期化されたスクランブリングシーケンスを使用してスクランブリングされ得る：
【０１４２】
【数６】
0006536899.tif 000016
【０１４３】
ここで、ｎＲＮＴＩは、上記構成されたＲＮＴＩ値であり、ｑは、上記コードワードインデックスであり、ｎｓは、上記サブフレームインデックスであり、
【０１４４】
【数７】
0006536899.tif 000017
【０１４５】
は上記セルｉｄである。
【０１４６】
一例で、複数のＴＰからの複数のＴＢは、同一のキャリアで同一のサブフレームで同一のコードワードにマッピングされ得る。結果的に、上記ＰＤＳＣＨスクランブリングは、与えられたサブフレームに対して異なるｅＮＢに対して同一の方式で遂行され得る。異なるｅＮＢに対する上記ＰＤＳＣＨを相異なるようにスクランブリングすることは（上記ＰＤＳＣＨを固有にスクランブリングすることのような）、干渉ランダム化を助けることができる。特定の実施形態で、上記異なるｅＮＢに対するＰＤＳＣＨを異なるようにスクランブリングすることは、ＵＥに対する仮想Ｃ−ＲＮＴＩを構成することを含み得る。少なくともこの実施形態で、上記ＵＥは、仮想Ｃ−ＲＮＴＩが一つ又はそれ以上の補助ｅＮＢのＰＤＳＣＨをディスクランブル（descramble）すると仮定する。Ｃ−ＲＮＴＩ（Ｒｅｌ−８に説明されているＣ−ＲＮＴＩのような）は、依然として上記基本ＣｏＭＰ ｅＮＢのＰＤＳＣＨをディスクランブルするために使用され得る。特に、３ＧＰＰ ＴＳ３６.２１１ Ｖ１１.１.０（２０１２−１２）のセクション６.３.１に明示されているように、上記ＰＤＳＣＨに対するスクランブリングシーケンスの初期化は、次のようになるように修正され得る：
【０１４７】
【数８】
0006536899.tif 000018
【０１４８】
ここで、nRNTIは、上記基本ＣｏＭＰ ｅＮＢ（ｅＮＢ１）からのＰＤＳＣＨ送信と関連されるＣ−ＲＮＴＩに対応し、nVRNTIは、上記補助ＣｏＭＰ ｅＮＢ（ｅＮＢ２）からのＰＤＳＣＨと関連される上記仮想Ｃ−ＲＮＴＩに対応する。上記ＣｏＭＰ ｅＮＢからの単一ＴＢが表８示されているようにコードワード０にマッピングされる場合、ｑは０と同一であり得る（ｑ＝０のように）ことに留意すべきである。
【０１４９】
また、特定の実施形態で、上記仮想Ｃ−ＲＮＴＩは、上記ＰＤＳＣＨをスクランブリングするためにのみ使用されることができる。追加的に、特定の実施形態で、上記仮想Ｃ−ＲＮＴＩは、上記ＴＰに対して構成されるＣ−ＲＮＴＩと同一であり、したがって上記仮想Ｃ−ＲＮＴＩは、ＰＤＣＣＨ／ＥＰＤＣＣＨに対する上記ＵＥ−特定検索空間を決定するために上記Ｃ−ＲＮＴＩを代替するために使用されるか、又は上記補助ＣｏＭＰ ｅＮＢに対する上記ＰＤＣＣＨ／ＥＰＤＣＣＨのＣＲＣのスクランブリングのためのＣ−ＲＮＴＩを代替するために使用されることができる。
【０１５０】
特定の実施形態で、上記異なるｅＮＢに対するＰＤＳＣＨをスクランブリングすることは、ＵＥに対する仮想セルｉｄを構成することを含み得る。少なくともこの実施形態で、上記ＵＥは、仮想Ｃ−ＲＮＴＩが上記一つ又はそれ以上の補助ｅＮＢのＰＤＳＣＨをディスクランブルすると仮定する。上記サービングセルｉｄ（Ｒｅｌ−８に開示されている上記サービングセルｉｄのような）は、上記基本ＣｏＭＰ ｅＮＢのＰＤＳＣＨをディスクランブリングするために依然として使用され得る。特に、ＴＳ３６.２１１ Ｖ１１.１.０（２０１２−１２）のセクション６.３.１に明示されているような上記ＰＤＳＣＨに対するスクランブリングシーケンスの初期化は、次のようになるように修正され得る：
【０１５１】
【数９】
0006536899.tif 000019
【０１５２】
ここで、
【０１５３】
【数１０】
0006536899.tif 000020
【０１５４】
は上記基本ＣｏＭＰ ｅＮＢ（ｅＮＢ１）に対するサービングセルｉｄに対応し、
【０１５５】
【数１１】
0006536899.tif 000021
【０１５６】
は上記補助ＣｏＭＰ ｅＮＢ（ｅＮＢ２）に対する仮想セルｉｄに対応する（したがって、上記仮想セルｉｄは、上記補助ＣｏＭＰ ｅＮＢのＰＣＩになるように設定され得る）。上記ＣｏＭＰ ｅＮＢからの単一ＴＢが表８示されているようにコードワード０にマッピングされる場合、ｑは０と同一であり得る（ｑ＝０のように）ことに留意すべきである。
【０１５７】
特定の実施形態で、上記異なるｅＮＢに対してＰＤＳＣＨを異なるようにスクランブリングすることは、ＵＥに対する仮想Ｃ−ＲＮＴＩ及び仮想セルｉｄを構成することを含み得る。
【０１５８】
【数１２】
0006536899.tif 000022
【０１５９】
特定の実施形態で、上記異なるｅＮＢに対するＰＤＳＣＨをスクランブリングすることは、上記異なるＣｏＭＰ ｅＮＢからのＴＢを異なるコードワードインデックスにマッピングすることを含み得る。例えば、ＣｏＭＰ ｅＮＢから１個のＴＢ送信が存在すると仮定する場合、二つのＴＢに対して、下記表１０示されているように上記基本ＣｏＭＰ ｅＮＢからのＴＢは、ＣＷ０にマッピングされ、上記補助ＣｏＭＰ ｅＮＢからのＴＢは、ＣＷ１にマッピングされ得る。他の例題で、ＣｏＭＰ ｅＮＢ別に最大二つのＴＢが存在できると仮定する場合、下記表１１示されているように、上記基本ＣｏＭＰ ｅＮＢからのＴＢはＣＷ０及びＣＷ１にマッピングされ、これに対して上記補助ＣｏＭＰ ｅＮＢからのＴＢはＣＷ２及びＣＷ３にマッピングされ得る。特定の実施形態で、表８又は表９に示された上記ＴＢ−対−ＣＷマッピング方法は、オーバーラップされないＰＲＢ割り当てに対して有益であり、これに対して表１０又は表１１に示された上記ＴＢ−対−ＣＷマッピング方法は、少なくとも一部がオーバーラップされるＰＲＢ割り当てに対して有益であり得る。上位階層シグナリングは、表８又は表９及び表１０又は表１１間でＵＥ仮定をスイッチするために使用され得る。
【０１６０】
＜表１０＞：２個のＴＰに対してＴＰからの１個のＴＢを仮定する場合のＴＢ−対−ＣＷマッピング。
【０１６１】
【表１０】
0006536899.tif 000023
【０１６２】
＜表１１＞：２個のＴＰに対してＴＰからの複数のＴＢを仮定する場合のＴＢ−対−ＣＷマッピング。
【０１６３】
【表１１】
0006536899.tif 000024
【０１６４】
特定の実施形態で、上記ＵＥがサブフレームで複数のＰＤＳＣＨを受信することが期待できるために、上記ＵＥは、また受信された各ＰＤＳＣＨがどのようにディスクランブルされるかを決定することができる。特定の実施形態で、上記ＵＥは、ＰＤＣＣＨ／ＥＰＤＣＣＨでダイナミックシグナリング（dynamic signaling）を通して特定のディスクランブリング仮定を指示するＰＤＳＣＨを受信することができる。例えば、上記ＵＥは、上記仮想Ｃ−ＲＮＴＩ、上記仮想セルｉｄ、又はコードワードインデックスのうち少なくとも一つを使用してＰＤＣＣＨ／ＥＰＤＣＣＨでダイナミックシグナリングを通した特定のディスクランブリング仮定を指示するＰＤＳＣＨを受信することができる。特定の実施形態で、上記特定ディスクランブリング仮定を指示するＰＤＳＣＨは、また黙示的に遂行され得る。例えば、上記仮想Ｃ−ＲＮＴＩが上記ＰＤＣＣＨ／ＥＰＤＣＣＨ ＣＲＣチェックサム（checksum）を確認するために使用された場合、上記ＰＤＳＣＨは、また上記仮想Ｃ−ＲＮＴＩを仮定してディスクランブリングできる。特定の実施形態で、上記物理制御チャンネルのタイプは、上記ＰＤＳＣＨディスクランブリング仮定を差動化させるために使用され得る。例えば、上記ＰＤＳＣＨに対する制御情報がＰＤＣＣＨで検出された場合、上記ＰＤＳＣＨ（上記Ｒｅｌ.８ＰＤＳＣＨのような）ディスクランブリングが上記ＵＥにより仮定され得る。これとは反対に、上記制御情報がＥＰＤＣＣＨで検出された場合、新たなＰＤＳＣＨディスクランブリング（上記仮想Ｃ−ＲＮＴＩ、上記仮想セルｉｄ、又はコードワードインデックスのうち少なくとも一つを使用することのような）が上記ＵＥによりその代わりに仮定され得る。特定の実施形態で、異なるＰＤＳＣＨディスクランブリング仮定を指示され得る異なるＥＰＤＣＣＨ集合は、上位階層シグナリングを通して構成され得る。
【０１６５】
上記のような実施形態は、コードワードマッピング及びＰＤＳＣＨスクランブリングに関するものであるが、類似の原則が上記ＵＥにより基本及び補助ＣｏＭＰ ｅＮＢの差動化をイネイブルさせるために使用され得る。
【０１６６】
特定の実施形態で、ｅＮＢ間の物理制御チャンネル干渉を防止するために、上記物理制御チャンネルは、異なるＣｏＭＰ ｅＮＢが時間及び周波数でオーバーラップされないようにするために上記ＵＥによりモニターされ得る。特定の実施形態で、異なるＣｏＭＰ ｅＮＢが時間及び周波数でオーバーラップされないように上記ＵＥが物理制御チャンネルをモニターリングすることは、上記ＰＤＣＣＨで上記基本ＣｏＭＰ ｅＮＢからＤＣＩを送信することとＥＰＤＣＣＨ集合内のＥＰＤＣＣＨで補助ＣｏＭＰ ｅＮＢからＤＣＩを送信することを含み得る。特定の実施形態で、異なるＣｏＭＰ ｅＮＢが時間及び周波数でオーバーラップされないように上記ＵＥが物理制御チャンネルをモニターリングすることは、第１のＥＰＤＣＣＨ集合内のＥＰＤＣＣＨで上記基本ＣｏＭＰ ｅＮＢからＤＣＩを送信することと第２のＥＰＤＣＣＨ集合内のＥＰＤＣＣＨで補助ＣｏＭＰ ｅＮＢから上記ＤＣＩを送信することを含み得る。少なくとも、二つの異なるＥＰＤＣＣＨ集合を含む実施形態で、上記二つのＥＰＤＣＣＨ集合は、上記ＵＥによって準共存されると仮定されることができない。上記ＣＲＳレートマッチング仮定は、また異なるＥＰＤＣＣＨ集合に対して異なる。
【０１６７】
特定の実施形態で、１個のコードワードのみがＣｏＭＰ ｅＮＢから送信されることが許可されるが、ＣｏＭＰ ｅＮＢからのマルチ−階層送信がサポートされると仮定する場合、コードワード−対−階層マッピングは、単一コードワード−対−階層マッピング（Ｒｅｌ.１１でのような）が再送信に対してのみ適用可能であるために、サポートされることができない。しかしながら、特定の実施形態で、ただ１個のコードワードのみがＣｏＭＰ ｅＮＢから送信されることが許可され、これに対してＣｏＭＰ ｅＮＢからのマルチ−階層送信は、ｅＮＢ間のＣｏＭＰ ＪＴが構成されるために（新たな送信モードでのように）サポートでき、したがって上記単一コードワード−対−マルチ階層マッピングは、上記初期送信のために使用され得る。下記表１２に示されているような３ＧＰＰ ＴＳ３６.２１１ Ｖ１１.１.０（２０１２−１２）で表６.３.３.２−１から修正される）空間マルチプレキシングに対する上記コードワード−対−階層マッピングは、初期送信及び再送信の両方に対するｅＮＢ間ＣｏＭＰ動作で各ＣｏＭＰ ｅＮＢに対して適用可能であり得る。
【０１６８】
＜表１２＞：ｅＮＢ間ＣｏＭＰに対する空間多重化のためのコードワード−対−階層マッピング
【０１６９】
【表１２】
0006536899.tif 000025
【０１７０】
上述したように、ＤＣＩフォーマットは、特定ＣｏＭＰ ｅＮＢに対するＤＭ−ＲＳポートに対する指示として使用され得る。以前に論議されたように、新たなＤＣＩフォーマット（ＤＣＩフォーマット２Ｂ’と称される）は、修正でき、したがって上記第２のトランスポートブロックに対する上記変調及びコーディング方式（modulation and coding scheme：ＭＣＳ）、ＮＤＩ及びＲＶ情報ビット（総８ビットに対する）は、以前に表５で示されているように上記ＤＭ−ＲＳポートを指示する１ビットに代替され得る。また、表１３は、上記ＤＣＩフォーマット２Ｂ’を使用して送信することができる情報の一実施形態を示している。
【０１７１】
【表１３】
0006536899.tif 000026
0006536899.tif 000027
【０１７２】
ＤＣＩフォーマットＸは、レガシーＤＣＩフォーマット２Ｄの第２のトランスポートブロックに対する上記ＭＣＳ、ＮＤＩ及びＲＶ情報ビット（総８ビット）を除去することによって、又は一つ又はそれ以上のアンテナポート、スクランブリング識別子及び階層の個数を上記レガシーＤＣＩフォーマット１／１Ａに追加させることによって構成され得る。アンテナポート、上記スクランブリング識別子及び上記送信階層の個数を指示する表は、以前に示されている表６又は表７に代替され得る。上記トランスポートブロックは、コードワード０にマッピングされ得る。上記コードワード−対−階層マッピングは、表１２によって明示される。下記の表１４は、上記ＤＣＩフォーマット１／２Ｄを修正することによって獲得されるＤＣＩフォーマットＸ定義を示している。
【０１７３】
【表１４】
0006536899.tif 000028
0006536899.tif 000029
【０１７４】
特定の実施形態で、上述したような多様な機能（上記多様なｅＮＢ協調方法などのような）がコンピュータプログラムによって具現されるか又はサポートされ、上記コンピュータプログラムの各々は、コンピュータリ―ド可能プログラムコードから形成され、コンピュータリ―ド可能媒体で実施される。上記用語“コンピュータリ―ド可能プログラムコード”は、ソースコード（source code）、オブジェクトコード（objectcode）及び実行可能コードを含むいずれのタイプのコンピュータコードでも含み得る。上記用語“コンピュータリ―ド可能媒体”はリ―ドオンリメモリ（read only memory:ＲＯＭ）、ランダムアクセスメモリ（random access memory：ＲＡＭ）、ハードディスクドライブ、コンパクト・ディスク（compact disc：ＣＤ）、デジタルビデオディスク（digital video disc：ＤＶＤ）、又は他のタイプのメモリのような、コンピュータによりアクセス可能ないずれのタイプの媒体でも含む。“非一時的な（non-transitory）”コンピュータリ―ド可能媒体は、 一時的な電気（transitory electrical）又は他の信号を電送する有線、無線、光、又は他の通信リンクを排除する。非一時的コンピュータリ―ド可能媒体は、データが永久的に保存され得るメディア、再記録可能光ディスク又は削除可能メモリデバイスのような、データが保存され得、上書きするメディアを含む。
【０１７５】
本開示の詳細な説明において、いずれでも特定のエレメント、ステップ、又は機能が請求項の範囲に必ず含まれなければならない必須エレメントと解釈されてはならなく、特許される対象の範囲は、請求範囲のみによって定義される。
【符号の説明】
【０１７６】
１００  無線ネットワーク
１０１  ｅＮＢ
１０２  ｅＮＢ
１０３  ｅＮＢ
１１１  ＵＥ
１１２  ＵＥ
１１３  ＵＥ
１１４  ＵＥ
１１５  ＵＥ
１１６  ＵＥ
１２０  カバレッジ領域
１２５  カバレッジ領域
２００  送信経路
２０５  チャンネルコーディング及び変調ブロック
２１０  直列−並列ブロック
２１５  サイズＮ ＩＦＦＴブロック
２２０  並列−直列ブロック
２２５  サイクリックプレフィックス追加ブロック
２３０  アップコンバータ（ＵＣ）
２５０  受信経路
２５５  ダウンコンバータ（ＤＣ）
２６０  サイクリックプレフィックス除去ブロック
２６５  直列−並列ブロック
２７０  サイズＮ  ＦＦＴブロック
２７５  並列−直列ブロック
２８０  チャンネルデコーディング及び復調ブロック
３０５  アンテナ
３１０  ＲＦ送受信器
３１５  ＴＸ処理回路
３２０  マイクロフォン
３２５  ＲＸ処理回路
３３０  スピーカ
３４０  メインプロセッサ
３４５  Ｉ／Ｏインターフェース
３５０  キーパッド
３５５  ディスプレイ
３６０  メモリ
３６１  ＯＳプログラム
３６２  アプリケーション
【図１】
0006536899.tif 000030
【図２Ａ】
0006536899.tif 000031
【図２Ｂ】
0006536899.tif 000032
【図３】
0006536899.tif 000033
【図４】
0006536899.tif 000034
【図５】
0006536899.tif 000035
【図６】
0006536899.tif 000036
【図７】
0006536899.tif 000037
【図８Ａ】
0006536899.tif 000038
【図８Ｂ】
0006536899.tif 000039
【図９】
0006536899.tif 000040
【図１０】
0006536899.tif 000041
【図１１】
0006536899.tif 000042
【図１２】
0006536899.tif 000043
【図１３】
0006536899.tif 000044
【図１４】
0006536899.tif 000045